(57)【要約】  薄型で、かつ空の再現性と色ムラの抑制とを両立可能な、拡散体、照明ユニットおよび照明装置を提供する。  拡散体は、第１の光を入射して散乱光を出射する拡散体であって、第１の光に対して所定の散乱能を発現する散乱層（３０）と、第１の光を透過する透過層（４０）とが積層されており、第１の光を入射する光入射面（ｆ２１）と、散乱光を出射する第１の光出射面（ｆ２２）が形成される主表面とを有し、光入射面は、主表面の第１の端部を構成する端面に形成され、拡散体は、入射された第１の光に対して、散乱層と透過層とを往復させる導光路として機能し、散乱層は、ナノオーダーの光学媒体（３０２）を含み、入射された第１の光をナノオーダーの光学媒体で散乱させて散乱光を発生させ、散乱光の相関色温度は、第１の光の相関色温度よりも高い。
2020196594.tif 000002
【特許請求の範囲】
【請求項１】
第１の光を入射して散乱光を出射する拡散体であって、
前記第１の光に対して所定の散乱能を発現する散乱層と、前記第１の光を透過する透過層とが積層されており、
前記第１の光を入射する光入射面と、前記散乱光を出射する第１の光出射面が形成される主表面とを有し、
前記光入射面は、前記主表面の第１の端部を構成する端面に形成され、
前記拡散体は、入射された前記第１の光に対して、前記散乱層と前記透過層とを往復させる導光路として機能し、
前記散乱層は、ナノオーダーの光学媒体を含み、入射された前記第１の光を前記ナノオーダーの光学媒体で散乱させて前記散乱光を発生させ、
前記散乱光の相関色温度は、前記第１の光の相関色温度よりも高い
ことを特徴とする拡散体。
【請求項２】
前記透過層と前記散乱層とが光学的に接続されている
請求項１に記載の拡散体。
【請求項３】
前記透過層と前記散乱層とが前記第１の光出射面の法線方向と平行な軸方向に積層されている
請求項１または請求項２に記載の拡散体。
【請求項４】
前記散乱層と前記透過層との間に存在する界面を構成する部材間のＤ線における屈折率差が、０．５以下である
請求項１から請求項３のうちのいずれか１項に記載の拡散体。
【請求項５】
前記散乱層と前記透過層との間に存在する界面を構成する部材のうち、前記第１の光のうち主要な光が最初に到達する界面において入射側となる部材を第１の部材、出射側の部材を第２の部材とし、前記第１の部材のＤ線における屈折率をｎ１、前記第２の部材のＤ線における屈折率をｎ２、Ｒ＝ｎ２／ｎ１としたとき、０．９８≦Ｒ≦１．３７を満たす
請求項１から請求項４のうちのいずれか１項に記載の拡散体。
【請求項６】
前記拡散体は、前記導光路として、前記第１の光を、前記透過層と前記散乱層との間の界面を介して前記透過層から前記散乱層および前記散乱層から前記透過層に入射し、かつ各層で前記第１の光を前記界面と対向する表面で反射させて、前記光入射面と対応する端面に導光する
請求項１から請求項５のうちのいずれか１項に記載の拡散体。
【請求項７】
前記界面と対向する表面での反射が全反射である
請求項６に記載の拡散体。
【請求項８】
入射された前記第１の光の平均自由行程が、前記散乱層と同一の光学特性を有する散乱層のみで構成される、前記拡散体と同じサイズの光出射体に前記第１の光と同一条件で入射された光の平均自由行程よりも長い
請求項１から請求項７のうちのいずれか１項に記載の拡散体。
【請求項９】
前記ナノオーダーの光学媒体が、ナノ粒子またはナノメートルオーダーの大きさをもつ組成物、孔、表面上の凹部もしくは表面上の凸部である
請求項１から請求項８のうちのいずれか１項に記載の拡散体。
【請求項１０】
前記透過層を構成する基材の表面上に、前記散乱層を構成する部材がコーティングされている
請求項１から請求項９のうちのいずれか１項に記載の拡散体。
【請求項１１】
前記主表面における前記ナノオーダーの光学媒体の面濃度が異なる２以上の領域を含む
請求項１から請求項１０のうちのいずれか１項に記載の拡散体。
【請求項１２】
前記第１の端部とは異なる第２の端部に、前記ナノオーダーの光学媒体の面濃度が他の領域よりも小さい領域を含む
請求項１１に記載の拡散体。
【請求項１３】
請求項１〜１２のうちのいずれかに記載の拡散体と、
前記第１の光を発する光源と、を備える
ことを特徴とする照明ユニット。
【請求項１４】
請求項１３に記載の照明ユニットと、
前記照明ユニットを支持する枠体と、を備える
ことを特徴とする照明装置。
【請求項１５】
前記拡散体の前記第１の光出射面に対して、前記散乱光が出射される方向である出射方向の反対側に、不透明な構造体である背面板を備える
請求項１４に記載の照明装置。
【請求項１６】
前記拡散体の前記第１の光出射面に対して、前記散乱光が出射される方向である出射方向の側に、日差しを再現する発光面を含む日差し表現部を備える
請求項１４または請求項１５に記載の照明装置。
【請求項１７】
前記拡散体は、前記光入射面と対向するように配置され、前記拡散体内を導光した光を出射する第２の光出射面を有し、
前記照明装置は、前記第２の光出射面から出射された前記光を、前記第１の光出射面と面する空間に向かうように偏向する光取出し部をさらに有する
請求項１４から請求項１６のうちのいずれか１項に記載の照明装置。
【発明の詳細な説明】
【技術分野】
【０００１】
本開示は、拡散体、照明ユニットおよび照明装置に関する。
【背景技術】
【０００２】
自然の空を模擬する照明装置の例として、特許文献１に記載の照明システムがある。特許文献１に記載の照明システムは、第１の光源（２）と、ランプ傘状構造（１０）とを備える。ランプ傘状構造（１０）は、スクリーン構造（１４）と底部体（１２）とを含み、底部体（１２）は、拡散光発生体（２０）を有する。拡散光発生体（２０）は、レイリー拡散体として働き、可視光領域は実質的に吸収せず、衝突光の長波長成分に比べて短い波長をより効率的に拡散する。第１の光源（２）とランプ傘状構造（１０）は、暗箱（１６）内に配設されている。第１の光源（２）は、拡散光発生体（２０）の中心に対して、垂直方向および水平方向にずれた位置に置かれ、拡散光発生体（２０）の上面を全体的に、主光線の角度とされる約６０度で照射している。
【先行技術文献】
【特許文献】
【０００３】
【特許文献１】特開２０１５−２０７５５４号公報
【発明の概要】
【発明が解決しようとする課題】
【０００４】
しかしながら、特許文献１に記載の照明システムは、強い有指向性の光を発する第１の光源（２）を、拡散光発生体（２０）の中心に対して垂直方向及び水平方向にずれた位置に配置しなければならず、照明装置の厚さが増大するという問題があった。【０００５】
照明装置の薄型を実現する方法としては、レイリー散乱を生じさせる拡散体（例えば、上記の拡散光発生体（２０）等）の端部から光を入射させることが有効である。しかしながら、そのような構成においては、光が導光される間に相関色温度の高い光が優先的に散乱されていく。このため、拡散体内の導光距離によっては、出射面で色ムラが生じるおそれがあった。【０００６】
なお、粒子濃度を低くして導光路中の散乱確率を低くすれば色ムラを低減できる。しかしながら、レイリー散乱を利用して青空などの自然の空の色味（透明感のある青色など）を再現する照明装置では、いわゆる白色照明のような、入射された白色光を単に拡散または散乱させればよいわけではなく、出射される散乱光によって光出射面が自然な空に見えるように調光する必要がある。より具体的には、レイリー散乱を生じさせる光出射体（例えば、上記の拡散光発生体（２０）等）において、青色波長の光を他の波長の光に対して適切な比率で散乱させる必要がある。このような調光によって、光出射体を、自然な（奥行感のある）空のような色味の発光体として視覚させることができるからである。【０００７】
本開示は、上述した点に鑑みて、薄型で、かつ空の再現性と色ムラの抑制とを両立可能な拡散体、照明ユニットおよび照明装置を提供することを目的とする。
【課題を解決するための手段】
【０００８】
本開示に係る拡散体は、第１の光を入射して散乱光を出射する拡散体であって、前記第１の光に対して所定の散乱能を発現する散乱層と、前記第１の光を透過する透過層とが積層されており、前記第１の光を入射する光入射面と、前記散乱光を出射する第１の光出射面が形成される主表面とを有し、前記光入射面は、前記主表面の第１の端部を構成する端面に形成され、前記拡散体は、入射された前記第１の光に対して、前記散乱層と前記透過層とを往復させる導光路として機能し、前記散乱層は、ナノオーダーの光学媒体を含み、入射された前記第１の光を前記ナノオーダーの光学媒体で散乱させて前記散乱光を発生させ、前記散乱光の相関色温度は、前記第１の光の相関色温度よりも高いことを特徴とする。【０００９】
本開示に係る照明ユニットは、上述した拡散体と、第１の光を発する光源とを備えることを特徴とする。【００１０】
また、本開示に係る照明装置は、上述した照明ユニットと、照明ユニットを支持する枠体とを備えることを特徴とする。
【発明の効果】
【００１１】
本開示によれば、薄型で、かつ空の再現性と色ムラの抑制とを両立可能な拡散体、照明ユニットおよび照明装置を提供できる。
【図面の簡単な説明】
【００１２】
【図１】実施の形態１に係る照明装置の概略構成を示す斜視図である。
【図２】実施の形態１に係る照明装置の概略構成を示す断面図である。
【図３】実施の形態１に係る光源の概略構成を示す構成図である。
【図４】実施の形態１に係る光源の配置例を示す構成図である。
【図５】実施の形態１に係る拡散体の一例を示す斜視図である。
【図６】実施の形態１に係る拡散体の一例を示す斜視図である。
【図７】実施の形態１に係る拡散体内における光Ｌｉの導光例および光Ｌｓの発生例を示す説明図である。
【図８】２層の積層構造体の界面における光の入射角θ２と出射角θ３の関係を示す説明図である。
【図９】図８に示す積層構造体の屈折率の比Ｒごとのθ１とθ３の関係を示すグラフである。
【図１０】実施の形態１に係る照明装置の他の例を示す説明図である。
【図１１】実施の形態１に係る枠体の例を示す説明図である。
【図１２】実施の形態１に係る拡散体の例を示す説明図である。
【図１３】実施の形態１に係る拡散体の例を示す説明図である。
【図１４】実施の形態１に係る拡散体の例を示す説明図である。
【図１５】実施の形態１に係る拡散体内における光Ｌｉの導光例および光Ｌｓの発生例を示す説明図である。
【図１６】実施の形態１に係る拡散体内における光Ｌｉの導光例および光Ｌｓの発生例を示す説明図である。
【図１７】実施の形態１に係る拡散体内における光Ｌｉの導光例および光Ｌｓの発生例を示す説明図である。
【図１８】実施の形態１に係る拡散体内における光Ｌｉの導光例および光Ｌｓの発生例を示す説明図である。
【図１９】実施形態１に係る単一の粒子によるレイリー散乱の散乱光強度角度分布の一例を示す図である。
【図２０】比較例として１層構造の拡散体の例を示す構成図である。
【図２１】変形例１に係る照明装置の構成の一例を示す断面図である。
【図２２】変形例２に係る照明装置の構成の一例を示す斜視図である。
【図２３】変形例２に係る照明装置の構成の一例を示す断面図である。
【図２４】変形例３に係る照明装置の構成の一例を示す断面図である。
【図２５】変形例３に係る照明装置の構成の一例を示す断面図である。
【図２６】変形例３に係る照明装置の構成の一例を示す断面図である。
【図２７】変形例３に係る照明装置の構成の一例を示す斜視図である。
【図２８】実施の形態２に係る照明装置の概略構成を示す斜視図である。
【図２９】実施の形態３に係る照明装置の概略構成を示す斜視図である。
【図３０】実施の形態３に係る拡散体の構成例を示す断面図である。
【発明を実施するための形態】
【００１３】
以下、本開示に係る拡散体、照明ユニットおよび照明装置の実施の形態について図面を参照して説明する。以下の実施の形態は、例にすぎず、実施の形態を適宜組み合わせること及び各実施の形態を適宜変更することが可能である。
【００１４】
以下の各図面においては、構成要素によって寸法の縮尺を異ならせて示すことがある。また、以下の各実施の形態において、説明を容易にするために、各図中にｘｙｚ直交座標系の座標軸を示す場合がある。その場合において、光出射体から空を模擬する散乱光が主に出射される方向である主出射方向を−ｙ軸方向とする。また、主出射方向に垂直な方向のうち光出射体に入射される光の進行方向により近い方向をｚ軸方向とする。
【００１５】
ここで、主出射方向は、光出射体の主発光面の法線方向と読み替えてもよい。主発光面は、光出射体が備える出射面のうち特に定めた面をいう。より具体的に、主発光面は、光出射体の照明光を出射する表面である出射面のうち、特に空を模擬した発光面としてユーザに視覚させたい面であればよい。
【００１６】
例えば、主発光面は、板形状の光出射体であれば、側面でつながれた２つの表面（以下、主表面という）のうちの一方である。ここで、板形状は、側面でつながれた２つの主表面を有する形状である。以下、板形状において、側面でつながれた２つの主表面のうち、一方を第１表面といい、他方を第２表面という場合がある。また、板形状の側面を、主表面の端面という場合がある。
【００１７】
また、例えば、主発光面は、棒形状の光出射体であれば、柱体の側面のうちの１つまたは一部の領域である。ここで、棒形状は、２つの底面が１つまたは複数の側面でつながれた柱体の形状である。なお、棒は、柱体の総称である。以下、棒形状において、円柱、角柱等を問わず、２つの底面につながれた側面（中空の場合は側面の外表面）を主表面といい、底面を端面という場合がある。また、主表面内の領域を区別する意図で、棒形状の光出射体において主表面（柱体の側面）の一部の領域に主発光面が形成される場合において該領域を第１表面と呼び、主表面のうち該領域と反対側の領域を第２表面と呼ぶ場合がある。また、例えば、主発光面は、窓として設置されたときに、法線方向が室内を向く表面である。
【００１８】
なお、主発光面は平坦な面に限らず、例えば、曲面または傾斜面を含んでいてもよい。主発光面は、例えば、湾曲していたり、傾斜していてもよく、またそのような平坦面、曲面または傾斜面の組み合わせであってもよい。主発光面が平坦な面以外の場合、主発光面の法線方向は、中心部の法線方向または接平面の法線方向であってもよい。なお、円柱の側面を主発光面とする場合など、主発光面がｙｚ断面におけるすべての外縁を形成している場合、主出射方向を、主発光面における任意の位置における法線方向としてもよい。以下の実施形態において、主出射方向は、照明装置２００における照明光の出射方向の一つとみなされる。
【００１９】
実施の形態１．
以下、実施の形態１について、図面を参照して説明する。
【００２０】
＜照明装置２００の構成＞
図１および図２は、実施の形態１に係る照明装置２００の例を示す概略構成図である。なお、図１は照明装置２００の概略構成を示す斜視図であり、図２は照明装置２００の概略構成を示す断面図である。
【００２１】
照明装置２００は、光源１０と、光出射体としての拡散体２０とを備えている。また、拡散体２０は、散乱層３０と透過層４０とを含んでいる。
【００２２】
以下では、拡散体２０と、該拡散体２０と対で設けられる１つまたは複数の光源１０とを併せて照明ユニット１００と呼ぶ場合がある。すなわち、照明ユニット１００は、光源１０と拡散体２０の対の構成である。なお、図示省略しているが、照明装置２００は、照明ユニット１００を支持する枠体を備えていてもよい。
【００２３】
以下では、説明の便宜上、ｙ軸方向を、拡散体２０の厚さ方向（上下方向）、ｚ軸方向を横方向（左右方向）、ｘ軸方向を縦方向（前後方向）として説明するが、上記方向と実際の設置状態における方向とは必ずしも一致しない。
【００２４】
図２に示す例において、主発光面は面ｆ２２である。本例では、拡散体２０の面ｆ２２の端部を構成する端面ｆ２１に光を＋ｚ軸方向に入射して、該光に対する拡散体２０（より具体的には、拡散体２０に含まれる散乱層３０）の散乱作用により生じる散乱光が面ｆ２２から出射されることによって、拡散体２０を自然な空に近い光を放つ発光体として視覚させる。なお、主発光面は面ｆ２２の一部の領域であってもよい。また、主発光面は面ｆ２２上に形成されていてもよい。
【００２５】
以下、拡散体２０の端面に入射する光を光Ｌｉと呼ぶ場合がある。また、拡散体２０から出射される、空を模擬する散乱光を、光Ｌｓ、散乱光Ｌｓまたは拡散光Ｌｓと呼ぶ場合がある。また、以下では、拡散体２０内を導光する光を、光Ｌｔまたは伝搬光Ｌｔと呼ぶ場合がある。ここで、「導光」とは、ある媒質内に入射した光を当該媒質内の所定の光路に従って伝搬することをいう。したがって、光Ｌｔには、拡散体２０内で散乱または吸収された光は含まれない。
【００２６】
なお、後述するように、拡散体２０において光Ｌｓが出射する出射面は１つに限定されない。例えば、光Ｌｓは、面ｆ２２の反対側の面ｆ２３からも出射されうる。
【００２７】
≪光源１０≫
図３は、実施の形態１に係る光源の概略構成を示す構成図である。また、図４は、実施の形態１に係る光源の配置例を示す構成図である。光源１０は、例えば、ＬＥＤ光源であってもよい。光源１０は、図３に示すように、基板１２およびＬＥＤ素子１３を備えていてもよい。図３に示す例では、ＬＥＤ素子１３は複数備えられている。また、ＬＥＤ素子１３は、基板１２の上に配列されている。ここで、ＬＥＤ素子は発光素子の一例である。
【００２８】
光源１０は、拡散体２０の主発光面が形成される面ｆ２２の端部を構成する端面に対向して備えられる。例えば、光源１０は、拡散体２０への入射光となる光Ｌｉを出射する発光面ｆ１１を備え、該発光面ｆ１１が拡散体２０の主発光面が形成される面ｆ２２の端部を構成する端面に対向するように配置される。
【００２９】
図４に示すように、照明装置２００は、１つの拡散体２０に対して複数の光源１０を備えていてもよい。ここで、光源１０の単位は、独立してオン／オフ制御、発光量制御もしくは発光色制御が可能な単位とする。なお、照明装置２００は、照明ユニット１００として、１つの拡散体２０に対して１つの光源１０のみを備える構成であってもよい。
【００３０】
以下では、１つの拡散体２０に対して、空を模擬する光Ｌｓを生じさせる入射光を放射する一群（１つの場合を含む）の光源または発光素子をまとめて光源１０と呼ぶ場合がある。また、以下では、光源１０を主語に用いて、光Ｌｉを出射する光源の機能を説明するが、該機能は、照明ユニット１００に含まれる１つの光源または１つの発光素子の機能とみなすこともできるし、複数の光源または複数の発光素子の組み合わせによる機能とみなすこともできる。
【００３１】
一例として、図３に示した光源１０の構成例において、図中の各ＬＥＤ素子１３をそれぞれ１つの光源１０とみなすことも可能である。なお、その場合において、図中の各ＬＥＤ素子１３に対応する光源１０の１つが、図３に示す光源１０の構成（すなわち複数のＬＥＤ素子１３を含む構成）であることを妨げない。また、図４に示した光源１０の配置例において、図中の各光源１０をそれぞれ１つのＬＥＤ素子１３とみなすことも可能である。
【００３２】
光源１０は、拡散体２０への入射光である光Ｌｉを出射する。光源１０は、例えば、光Ｌｉとして白色光を出射する。また、光源１０は、例えば、光Ｌｉとして所定の相関色温度Ｔｃｉの光を発してもよい。
【００３３】
相関色温度Ｔｃｉは、例えば、６５００Ｋである。また、相関色温度Ｔｃｉは、例えば、５０００Ｋである。各光源１０の発する光の相関色温度は、同一であってもよいし、各々異なっていてもよい。
【００３４】
光源１０から出射される光Ｌｉの色は白色以外の色でもよい。例えば、照明ユニット１００は、光源１０として、白色光源と緑色系の光源を含むことができる。また、照明ユニット１００は、光源１０として、白色光源、緑色の光源および橙色の光源を含むことができる。また、照明ユニット１００は、光源１０として、異なる色温度の白色光源を含むことができる。例えば、照明ユニット１００は、光源１０として、高色温度の白色光源と低色温度の白色光源とを含むことができる。
【００３５】
ここで、高色温度の白色と低色温度の白色との色温度の差は、例えば、８８００Ｋである。高色温度の白色の相関色温度は、例えば、１４４００Ｋである。高色温度の白色の相関色温度は、例えば、１１５００Ｋ以上である。また、高色温度の白色の相関色温度は、例えば、１９０００Ｋ以下である。低色温度の白色の相関色温度は、例えば、５６００Ｋである。低色温度の白色の相関色温度は、例えば、５５００Ｋ以上である。また、低色温度の白色の相関色温度は、例えば、６０５０Ｋ以下である。
【００３６】
なお、光源１０は、図４に示すような、主発光面が形成される面ｆ２２の端部を構成する１つの端面に対向して配設される以外に、該端部を構成する２以上の端面に対向して配設されてもよい。そのような場合であっても、１つの拡散体２０の端部から光Ｌｉを入射する光源として働くものであれば、本実施の形態の光源１０とみなす。
【００３７】
例えば、光源１０（より具体的には、その発光面ｆ１１）は、拡散体２０の主発光面が形成される面ｆ２２の端部を構成する端面のうちの少なくとも１つの端面に対向して配置されていてもよい。また、例えば、光源１０は、拡散体２０の主発光面が形成される面ｆ２２の端部を構成する端面のうちの少なくとも１つの端面に沿って複数配置されていてもよい。
【００３８】
図５および図６は、拡散体２０の一例を示す斜視図である。例えば、拡散体２０が、図５に示すような矩形の板形状であって、４つの側面（図中の端面ｆ２１ａ、ｆ２１ｂ、ｆ２１ｃ、ｆ２１ｄ）と、該４つの側面につながれた２つの主表面（図中の第１表面ｆ２２、第２表面ｆ２３）を有する場合に、光源１０は次のように配置されていてもよい。なお、図５では、拡散体２０内における散乱層３０および透過層４０の積層数、積層順序および厚さを限定しない意図で、散乱層３０および透過層４０の図示を省略している。
【００３９】
一例として、光源１０は、拡散体２０の端面ｆ２１ａに対向して配置されていてもよい。このとき、光源１０は、拡散体２０の端面ｆ２１ａに沿って複数配置されていてもよい。また、一例として、光源１０は、拡散体２０の端面ｆ２１ａおよび端面ｆ２１ｂに対向して配置されていてもよい。このとき、光源１０は、拡散体２０の端面ｆ２１ａおよび端面ｆ２１ｂに沿って複数配置されていてもよい。また、一例として、光源１０は、拡散体２０の側面ｆ２１ａ、端面ｆ２１ｂおよび端面ｆ２１ｃに対向して配置されていてもよい。このとき、光源１０は、拡散体２０の端面ｆ２１ａ、側面ｆ２１ｂおよび端面ｆ２１ｃに沿って複数配置されていてもよい。また、一例として、光源１０は、拡散体２０の側面ｆ２１ａ、端面ｆ２１ｂ、端面ｆ２１ｃおよび端面ｆ２１ｄに対向して配置されていてもよい。このとき、光源１０は、拡散体２０の端面ｆ２１ａ、端面ｆ２１ｂ、端面ｆ２１ｃおよび端面ｆ２１ｄ）に沿って複数配置されていてもよい。
【００４０】
また、一例として、光源１０は、拡散体２０の端面ｆ２１ａ、端面ｆ２１ｂ、端面ｆ２１ｃおよび端面ｆ２１ｄの少なくともいずれかに対向して配置されていてもよい。このとき、光源１０は、拡散体２０の端面ｆ２１ａ、端面ｆ２１ｂ、端面ｆ２１ｃおよび端面ｆ２１ｄの少なくともいずれかに沿って複数配置されていてもよい。
【００４１】
なお、拡散体２０の形状は、矩形の板形状に限定されない。拡散体２０の形状が他の形状の場合には、上記端面と光源の位置関係を、例えば、ある１つの端面に対しそれと対向する他の端面または隣接する他の端面等に置き換えて適用してもよい。または、上記端面と光源の位置関係を、例えば、つらなった側面のうちのある一部の領域に対しそれと対向する位置にある他の一部の領域または隣接する位置にある他の一部の領域等に置き換えて適用できる。
【００４２】
また、例えば拡散体２０が、図６に示すような２つの底面（図中の端面ｆ２１ａ、ｆ２１ｂ）でつながれた棒形状の側面（図中の主表面ｆ２２）上に主発光面が形成される場合に、光源１０は、次のように配置されてもよい。
【００４３】
一例として、光源１０は、拡散体２０の端面ｆ２１ａに対向して配置されていてもよい。このとき、光源１０は、拡散体２０の端面ｆ２１ａに対して１つだけ配置されていてもよいし、複数配置されていてもよい。例えば、光源１０は、端面ｆ２１ａの外周形状に沿ってまたは面内で均等になるように複数配置されていてもよい。また、一例として、光源１０は、拡散体２０の端面ｆ２１ａおよび端面ｆ２１ｂに対向して配置されていてもよい。このとき、光源１０は、拡散体２０の端面ｆ２１ａおよび端面ｆ２１ｂのそれぞれに対して、１つだけ配置されていてもよいし、複数配置されていてもよい。例えば、光源１０は、端面ｆ２１ａおよび端面ｆ２１ｂに対して、それぞれの外周形状に沿ってまたはそれぞれの面内で均等になるように複数配置されていてもよい。
【００４４】
また、光源１０からの光Ｌｉは、例えば、ＺＥＢ（Ｚｅｒｏ  Ｅｎｅｒｇｙ  Ｂｕｉｌｄｉｎｇ）を考慮して、外光（太陽光など）を導光した光でもって代用することも可能である。外光の導光には、外光を取り込み所定の方向に出射する採光部材や導光体を利用できる。照明ユニット１００は、光源１０として、そのような採光部材や導光体を備えることも可能である。
【００４５】
≪拡散体２０≫
次に、拡散体２０について、図面を参照して説明する。
【００４６】
図２に示すように、拡散体２０は、散乱層３０と透過層４０とを含む構造体であって、主発光面を形成する第１表面（図中の面ｆ２２）と、第１表面の端部を構成する端面（図中の面ｆ２１）とを少なくとも有する。
【００４７】
主発光面は第１表面の一部の領域であってもよい。また、主発光面は第１表面の上に形成されてもよい。入射面は第１表面の端部に形成される。入射面は、例えば、第１表面の端部を構成する端面に形成される。なお、入射面は、端面の一部の領域であってもよい。また、入射面は端面の上に形成されてもよい。入射面は、例えば、拡散体２０のｚ軸方向における端部に形成される。拡散体２０が板形状の場合、上記の端部には板形状の側面が含まれる。また、拡散体２０が棒形状の場合、上記の端部には棒形状の底面が含まれる。
【００４８】
また、拡散体２０は、第１表面の反対側に第２表面（図中の面ｆ２３）をさらに有していてもよい。以下では、第１表面を前面ｆ２２と呼び、端面を側面ｆ２１と呼ぶ場合がある。また、第２表面を有する場合に、第２表面を背面ｆ２３と呼ぶ場合がある。
【００４９】
≪散乱層３０≫
散乱層３０は、光Ｌｉに対して所定の散乱能を発現する層である。散乱層３０は、例えば、基材３０１および粒子３０２を含む。
【００５０】
粒子３０２は、例えば、ナノ粒子である。「ナノ粒子」とは、ナノメール（ｎｍ）オーダーの大きさをもつ粒子である。ナノ粒子は、一般的には、１ｎｍから数百ｎｍの大きさの粒子をいう。粒子３０２は、例えば、粒径がナノオーダーの粒子である。
【００５１】
粒子３０２は、球形または別の形状をとり得る。
【００５２】
拡散体２０は、複数種類の粒子３０２を含むことができる。その場合において、粒子３０２の粒径を平均粒径としてもよい。
【００５３】
粒子３０２は、例えば、無機酸化物である。無機酸化物は、例えば、ＺｎＯ、ＴｉＯ２、ＺｒＯ２、ＳｉＯ２、Ａｌ２Ｏ３などである。
【００５４】
粒子３０２は、拡散体２０内に入射された光Ｌｉを散乱させて光Ｌｓとする。また、粒子３０２は、拡散体２０内（より具体的に、散乱層３０内）を伝搬される光Ｌｔを散乱させて光Ｌｓとする。
【００５５】
基材３０１は、例えば、粒子３０２を含んでいてもよい。また、粒子３０２は、基材３０１に添加されていてもよい。粒子３０２は、例えば、基材３０１に分散されている。
【００５６】
基材３０１は、特に限定されないが、例えば透明材料である。基材３０１は、必ずしも光Ｌｉの波長すべてにおいて透明である必要はない。一例として、基材３０１は、光Ｌｉの波長のうちの特定波長に吸収があってもよい。
【００５７】
基材３０１は、導光距離５ｍｍにおける透過率（直進透過率）が、設計波長において９０％以上が好ましく、９５％以上がより好ましく、９８％以上がさらに好ましい。ここで、設計波長は、入射光の波長のうちの予め定めた波長であればよい。設計波長は、１つの波長に限定されず、複数の波長や幅をもった波長（波長帯）でもよい。設計波長は、例えば、入射光が白色の光の場合、４５０ｎｍ、５５０ｎｍおよび６５０ｎｍのうちの１つまたは２つ以上の波長でもよい。なお、設計波長は、４５０ｎｍ、５５０ｎｍおよび６５０ｎｍの３波長でもよい。
【００５８】
基材３０１は、例えば、固体である。基材３０１は、例えば、熱可塑性ポリマー、熱硬化性樹脂または光重合性樹脂などを用いた樹脂板であってもよい。また、樹脂板としては、アクリル系ポリマー、オレフィン系ポリマー、ビニル系ポリマー、セルロース系ポリマー、アミド系ポリマー、フッ素系ポリマー、ウレタン系ポリマー、シリコーン系ポリマーまたはイミド系ポリマーなどを用いることができる。散乱層３０は、例えば、このような基材３０１の硬化前の材料に粒子３０２を分散させた状態で硬化処理を行うことで形成されていてもよい。
【００５９】
また、散乱層３０は、例えば、ゾルゲル法により作られる多孔質材料、有機分子分散材料、有機無機ハイブリッド材料（有機無機ナノ複合材料とも呼ばれる）または金属粒子分散材料により形成されていてもよい。一例として、散乱層３０は、有機・無機ハイブリッド樹脂であってもよく、例えば、樹脂と無機酸化物のハイブリッド樹脂であってもよい。この場合、散乱層３０は、粒子３０２相当の物質として、無機酸化物の材料と有機化合物とを含む基材３０１をベースとしてゾルゲル硬化によって生成された無機酸化物を有する。なお、本開示では、このような製造過程によって生成される微細な孔なども粒子３０２と見なす。
【００６０】
また、散乱層３０は、基材３０１の表面に、青色光の波長よりも小さい微細な凹凸が形成されたものであってもよい。この場合、散乱層３０は、粒子３０２として、基材３０１表面に形成された微細な凹部または凸部を有する。このとき、該凹部または該凸部の最大径は、ナノオーダー（例えば、１ｎｍから数百ｎｍの大きさ）が好ましい。
【００６１】
なお、散乱層３０は、レイリー散乱を生じさせる機構を有していればよく、散乱層３０内において粒子３０２と基材３０１とが異なる部材として明確に区別されなくてもよい。なお、基材３０１は、固体に限定されず、液体、液晶またゲル状の物質でもよい。
【００６２】
散乱層３０は、光Ｌｉが入射されると、該光の一部を導光する。また、散乱層３０は、光Ｌｉが入射されると、該光の一部を散乱させる。また、散乱層３０は、光Ｌｉが入射されると、該光の一部を、界面ｆ５０を介して透過層４０に入射する。また、散乱層３０は、界面ｆ５０を介して透過層４０から光Ｌｔが入射されると、光Ｌｉと同様、該光の一部を導光し、該光の一部を散乱させ、該光の一部を再び界面ｆ５０を介して透過層４０に入射する。
【００６３】
≪透過層４０≫
透過層４０は、光Ｌｉに対して透過性を有する層である。ここで、「透過性」とは、対象とした光がその媒質の内部を通り抜けられる性質をいう。透過性を有する例には、その媒質が透き通っていることが含まれる。なお、透過性は、入射光のすべてが通りぬけられる場合に限定されない。一例として、透過性には、その媒質の内部を通り抜ける光量が、その媒質の内部で散乱または吸収される光量に対して相対的に多い場合も含まれる。透過層４０における透過性は、例えば、後述するような直進透過率、ヘイズ値または拡散体２０内における光Ｌｔの平均自由行程により評価することも可能である。
【００６４】
透過層４０は、入射された光Ｌｉを、層内において粒子などで散乱させずに透過させることにより、光Ｌｔとして導光する。透過層４０は、例えば、光Ｌｉに対して透過性を有する部材により形成される。一例として、透過層４０は、上記の設計波長において、少なくとも散乱層３０を構成する部材（粒子３０２を含む基材３０１等）よりも単位距離あたりの直進透過率が高い部材により形成されていてもよい。なお、このことは、透過層４０は、例えば、基材３０１と同じ材料により形成されることを妨げない。
【００６５】
透過層４０の導光距離５ｍｍにおける透過率は、設計波長において９０％以上が好ましく、９５％以上がより好ましく、９９％以上がさらに好ましい。ここで、透過層４０の導光距離５ｍｍにおける透過率は、透過層４０を構成する部材（例えば、上記の透明材料等）の導光距離５ｍｍにおける透過率と読み替えてもよい。
【００６６】
なお、透過層４０を基材３０１と同じ材料により形成した場合、透過層４０の導光距離５ｍｍにおける透過率は、基材３０１の導光距離５ｍｍにおける透過率と同じとなる。ただし、その場合であっても、各層を構成する部材間で導光距離５ｍｍにおける透過率を比較した場合、透過層４０を構成する部材の方が散乱層３０を構成する部材（粒子３０２を含んだ層全体）よりも高くなる。また、各層を構成する部材間でヘイズ値を比較した場合、透過層４０を構成する部材の方が散乱層３０を構成する部材よりも低くなる。
【００６７】
透過層４０は、例えば、固体である。透過層４０は、例えば、熱可塑性ポリマー、熱硬化性樹脂または光重合性樹脂などを用いた樹脂フィルムから形成されている。また、樹脂フィルムとしては、アクリル系ポリマー、オレフィン系ポリマー、ビニル系ポリマーの材料として、例えば、セルロース系ポリマー、アミド系ポリマー、フッ素系ポリマー、ウレタン系ポリマー、シリコーン系ポリマーまたはイミド系ポリマーなどを用いることができる。なお、透過層４０も、固体に限定されず、液体、液晶またはゲル状の物質であってもよい。
【００６８】
≪拡散体２０内での光Ｌｉの導光≫
図７は、拡散体２０内における光Ｌｉの導光例および光Ｌｓの発生例を示す説明図である。本例において、拡散体２０は、光源１０が発した光Ｌｉを入射する。また、拡散体２０は、入射した光Ｌｉを導光する。また、拡散体２０は、入射した光Ｌｉを、光Ｌｔとして導光する。
【００６９】
より具体的に、拡散体２０は、光源１０から発せられた光Ｌｉを入射面（図中の例では、端面ｆ２１ａ）から入射し、光Ｌｔとして内部で導光しながら、その一部を粒子３０２等（ナノ粒子だけでなく、ナノメートルオーダーの大きさをもつ組成物（ゾルゲル硬化された酸化物等）、孔、表面上の凹部もしくは凸部を含む。以下、これらを総称してナノオーダーの光学媒体ともいう。）で散乱させて空を模擬する光Ｌｓとして少なくとも主発光面（図中の例では、面ｆ２２）から出射する。なお、ナノオーダーの光学媒体は、光Ｌｔに対して基材３０１内においてレイリー散乱またはレイリー散乱ライクな散乱現象を生じさせる光学媒体（界面を含む）であれば、特に限定されない。
【００７０】
拡散体２０内において、光Ｌｔは、例えば、主表面（板形状の２つの表面や棒形状の側面）または中空の棒形状の場合は側面の外表面と内表面で反射を繰り返して導光される。ここでの反射は、例えば、全反射である。また、光Ｌｔは、拡散体２０内を導光される際、界面ｆ５０を介して散乱層３０と透過層４０とを行き来する（往復する）。
【００７１】
図７に示すように、拡散体２０内に入射した光Ｌｉは、光Ｌｔとして散乱層３０と透過層４０とを行き来しながら＋ｚ軸方向に進む。そして、光Ｌｉは、光Ｌｔとして拡散体２０内を導光される過程で散乱層３０に入射されて、その一部が粒子３０２等により散乱されて光Ｌｓとなる。そして、光Ｌｓのうちの少なくとも一部が主発光面から出射される。
【００７２】
このように、拡散体２０は、入射された光Ｌｉに対して散乱層３０と透過層４０とを往復させるような導光路として機能する。より具体的に、散乱層３０と透過層４０とは、拡散体２０内において、界面ｆ５０を介して、入射された光Ｌｉを交互に入射しあう導光路を形成している。
【００７３】
なお、光利用効率の更なる向上のために、照明ユニット１００は、光源１０の光軸を拡散体２０のｚ軸に対して傾斜させてもよい。このようにすれば、透過層４０のみを直進透過する光Ｌｔの量を低減できる。また、同様の効果が得られる構成として、拡散体２０の入射面の中心部に、拡散体２０内に入射する光の少なくとも一部を外周方向に偏向する切欠部（図７の符号２１１参照）やプリズム等を設けることも可能である。
【００７４】
≪散乱層３０と透過層４０の積層構造≫
本実施形態の拡散体２０において、散乱層３０と透過層４０とは、例えば、主発光面の法線方向に平行な軸方向（図中のｙ軸方向）に積層されており、かつ互いに光学的に接続されている。
【００７５】
ここで、「光学的に接続されている」とは、散乱層３０と透過層４０との間に空気の界面なく接続されていることを意味する。そのため、散乱層３０と透過層４０との間に空気以外の層が含まれていてもよい。例えば、散乱層３０と透過層４０との間に接着剤や反射防止膜等があってもよい。反射防止膜は、例えば、界面ｆ５０での光Ｌｔの反射を防止する機能を有する光学膜であってもよい。
【００７６】
また、「界面」は、ある均一な相が他の均一な相と接している境界である。また、「表面」は、この「他の均一な相」が気体または真空であるときの界面である。例えば、拡散体２０が固体の場合、拡散体２０の表面は、拡散体２０の外周面（最も外側の面）となる。
【００７７】
なお、界面ｆ５０は１つに限らない。例えば、後述する図１６および図１７に例示するように、散乱層３０と透過層４０とが３層以上の積層構造を形成する場合など、拡散体２０内に２以上の界面ｆ５０が存在してもよい。その場合であっても、各界面ｆ５０において、散乱層３０と透過層４０とは互いに光学的に接続されているものとする。以下では、散乱層３０と透過層４０の間に存在する界面をまとめて界面ｆ５０と呼ぶ。
【００７８】
界面ｆ５０での光Ｌｔの反射を抑制するためには、界面ｆ５０を構成する部材間（図中の例では、散乱層３０を構成する部材と透過層４０を構成する部材間）の屈折率差は少ない方が好ましい。
【００７９】
一例として、散乱層３０を構成する部材と透過層４０を構成する部材間のＤ線（波長５８７．５６ｎｍ）における屈折率差は、０．５以下である。なお、該屈折率差は、０．３５以下が好ましく、０．２以下がより好ましく、０．０５以下がさらに好ましい。ここで、「散乱層３０を構成する部材の屈折率」は、基材３０１の屈折率と読み替えることができる。同様に、透過層４０を構成する部材が上述の透明材料（以下、基材４０１という）だけでなく粒子や添加剤等を含む場合、「透過層４０を構成する部材の屈折率」は、基材４０１の屈折率と読み替えることができる。主に界面ｆ５０を構成している部分における「均一の相」は、各層を構成する部材のうち基材がなしていると考えられるからである。したがって、上記の屈折率差は、基材３０１と基材４０１間のＤ線（波長５８７．５６ｎｍ）における屈折率差であってもよい。
【００８０】
なお、散乱層３０と透過層４０との間に仕切り部材が含まれる場合には、上記の屈折率差は、仕切り部材と散乱層３０を構成する部材間の屈折率差、および仕切り部材と透過層４０を構成する部材間の屈折率差と読み替えればよい。
【００８１】
また、界面ｆ５０での光Ｌｔの反射を抑制するために、例えば、散乱層３０を構成する部材と透過層４０を構成する部材間のＤ線（波長５８７．５６ｎｍ）における屈折率の比Ｒ＝ｎｓ／ｎｔを１以上としてもよい。ここで、ｎｓは、散乱層３０を構成する部材のＤ線の屈折率であり、ｎｔは透過層４０を構成する部材のＤ線の屈折率である。
【００８２】
なお、図７に示す構成以外の構成の場合、比Ｒ＝ｎ２／ｎ１と読み替えてもよい。ここで、ｎ１は、主要な光Ｌｔが最初に到達する界面ｆ５０において入射側に位置する第１の部材のＤ線の屈折率であり、ｎ２は該界面ｆ５０の出射側に位置する第２の部材のＤ線の屈折率である。なお、「主要な」とは、入射面が散乱層３０の端部と透過層４０の端部を含む場合において、直接透過層４０に入射されて導光される光を第１の光Ｌｔとし、直接散乱層３０に入射されて導光される光を第２の光Ｌｔとしたとき、第１の光Ｌｔと第２の光Ｌｔとでより光量が強い方の光Ｌｔを指す意味である。
【００８３】
例えば、透過層４０の方により多くの光Ｌｉが入射されて第１の光Ｌｔの光量＞第２の光Ｌｔの光量となる場合、主要な光Ｌｔは第１の光Ｌｔとされる。また、その場合において、第１の光Ｌｔが最初に界面ｆ５０に到達するときの入射側に位置する第１の部材は透過層４０であり、出射側に位置する第２の部材は散乱層３０である。なお、図７に示す構成であっても主要な光Ｌｔが最初に到達する界面ｆ５０の入射側部材（第１の部材）が透過層４０でない場合は、上記の定義に則って比Ｒ＝ｎ２／ｎ１としてもよいし、後述するような散乱層３０に直接光Ｌｉが入射しない構成とした上で比Ｒ＝ｎｓ／ｎｔとしてもよい。
【００８４】
図８は、２層の積層構造体の界面ｆ５０における光Ｌｔの入射角θ２と出射角θ３の関係を示す説明図である。なお、図８には、光の積層構造体の端面での入射角θ１と、界面での入射角θ２との関係も示されている。図８に示す例において、光Ｌｔが、屈折率＝ｎ１の第１の層から屈折率＝ｎ２の第２の層に向かう際、θ２が全反射角を超えると、光Ｌｔは界面で反射されて第１の層のみを伝搬する。
【００８５】
最初の界面ｆ５０での第１の部材（上記の第１の層）の屈折率（ｎ１）が第２の部材（上記の第２の層）の屈折率（ｎ２）よりも低ければ、すなわちｎ１＜ｎ２であれば、ｎ１→ｎ２の入射角θ２の全反射条件はなくなり、いずれの角度で入射しても全反射されない。ただし、入射角θ２に依存してフレネル反射が起こるため、両部材の屈折率差は小さい方が好ましく、したがって比Ｒも大きすぎない方が好ましい。比Ｒの上限としては、例えば１．３７である。すなわち、比Ｒは１．３７以下が好ましい。なお、比Ｒは、１．２以下がより好ましい。
【００８６】
また、比Ｒの下限としては、例えば０．８９である。したがって、比Ｒは、０．８９≦Ｒ≦１．３７であってもよい。なお、比Ｒは、０．９５以上がより好ましく、１以上がさらに好ましい。比Ｒをこのように設定することで、光Ｌｔが第１の層のみを伝搬することまたはそのような光Ｌｔの光量を低減できる。
【００８７】
図９（ａ）〜（ｃ）は、図８に示す積層構造体の屈折率の比Ｒごとのθ１とθ３の関係を示すグラフである。ここで、図９（ａ）は、比Ｒ＝０．８９のときのθ１とθ３の関係を示すグラフである。図９（ｂ）は、比Ｒ＝０．９５のときのθ１とθ３の関係を示すグラフである。図９（ｃ）は、比Ｒ＝１．０のときのθ１とθ３の関係を示すグラフである。図９（ｄ）は、比Ｒ＝１．２のときのθ１とθ３の関係を示すグラフである。
【００８８】
なお、図９に示す各例では、θ１とθ２の関係を求める際、ｎ１＝１．４９とした。図９（ｃ）、（ｄ）に示すように、比Ｒ≧１の場合、光Ｌｉの入射角θ１にかかわらず、光Ｌｔが界面ｆ５０に到達しさえすれば、理論上、光Ｌｔは第１の層で全反射されずに第２の層へ入射される。一方、図９（ａ）、（ｂ）に示すように、比Ｒ＜１の場合、比Ｒが小さいほど、光Ｌｔが界面ｆ５０で全反射されないための光Ｌｉの入射角θ１の角度範囲（グラフ上のβで示される角度範囲を除く角度範囲）が狭まる。図中のβは、光Ｌｔが界面ｆ５０で全反射されるθ１の角度範囲を示している。
【００８９】
例えば、図９（ａ）に示す例では、比Ｒ＝０．８９の場合、光Ｌｉのうち入射面の法線方向に対して４３°未満で入射した光は、界面ｆ５０で全反射する。このため、光源１０は、４３°以上の入射角で入射される成分を少なくとも有する光Ｌｉを入射する必要がある。また、例えば、図９（ｂ）に示す例では、比Ｒ＝０．９５の場合、光Ｌｉのうち入射面の法線方向に対して２８°未満で入射した光は、界面ｆ５０で全反射する。このため、光源１０は、２８°以上の入射角で入射される成分を少なくとも有する光Ｌｉを入射する必要がある。なお、そのような場合において、光源１０の光軸を傾けたり、光源１０と入射面ｆ２１との間にレンズを設けて光Ｌｉの配光を変化させることで、全反射条件を回避できる光Ｌｔの量を増加させてもよい。
【００９０】
一方、図９（ｃ）、（ｄ）に示すように、比Ｒ≧１の場合、光Ｌｔが界面ｆ５０で全反射されるθ１の角度範囲は存在しない。したがって、主表面での全反射条件のみを考慮して光Ｌｉの入射角θ１の角度範囲を決めることができる。ただし、比Ｒ＞１の場合、第２の層（この場合、高屈折材料層）に直接入射した光の一部が第１の層に入れずに第２の層のみを伝搬することが考えられる。なお、第２の層が薄ければそのような迷光の存在を無視してもよい。しかし、例えば、高屈折材料層に直接光を入射させないように、または好適な角度範囲で光Ｌｉが入射されるように、次のような構成としてもよい。
【００９１】
一例として、光源１０の光軸を傾けて光Ｌｉが低屈折材料層のみに入射されるようにしてもよい。また、他の例として、図１０（ａ）に示すように、光源１０と拡散体２０との間にレンズ１４を設け、光源からの光Ｌｉが低屈折材料層にのみ入射されるように光Ｌｉの配光を変化させてもよい。レンズ１４は、例えば、光源１０から発せられた光Ｌｉの発散角を変化させる機能を有する。なお、レンズ１４は、光源１０の発光面ｆ１１（拡散体２０の入射面側の端部）に一体に設けられてもよい。また、他の例として、低屈折材料層の入射端（光源側の側面等）のみを光源１０側に近づけてもよい。この場合において、透過層４０が低屈折材料層である場合に、図１０（ｂ）に示すように、透過層４０と散乱層３０とでｚ軸方向の長さを異ならせてもよい。より具体的に、透過層４０の主表面の入射面側の端部において散乱層３０が積層されていない領域（図中の符号５０２）を設けてもよい。
【００９２】
なお、散乱層３０と透過層４０との間に仕切り部材が含まれる場合には、屈折率差の場合と同様に、上記の比Ｒを、仕切り部材と散乱層３０を構成する部材間の屈折率の比率、および仕切り部材と透過層４０を構成する部材間の屈折率の比率と読み替えればよい。このとき、界面を構成する各部材間ごとに入射側の部材の屈折率と出射側の部材の屈折率の比をとればよい。
【００９３】
散乱層３０と透過層４０の積層構造として、拡散体２０は、例えば、透過層４０を構成する部材（例えば、基材４０１）に、散乱層３０を構成する部材（例えば、粒子３０２を含む基材３０１）をコーティングして作成されたものであってもよい。なお、コーティングの例としては、基材４０１の上に、粒子３０２を含む薄膜をコーティングしてもよい。また他の例としては、基材４０１の上に、散乱層３０を構成する部材の元となる材料を含む溶液をディップコーティングまたはスピンコーティングした後、加熱や光照射などの硬化処理を行ってもよい。なお、上記のコーティングには、ゾルゲル法におけるディップコーティングまたはスピンコーティングが含まれる。
【００９４】
一例として、拡散体２０は、透過層４０を構成する板形状の部材の２つの主表面のいずれか一方または両方に、散乱層３０を構成する部材がコーティングされたものであってもよい。また、拡散体２０は、散乱層３０を構成する板形状の部材の２つの主表面のいずれか一方または両方に、透過層４０を構成する部材がコーティングされたものであってもよい。拡散体２０は、透過層４０を構成する棒形状の部材の側面の外表面または内表面もしくはその両方に、散乱層３０を構成する部材がコーティングされたものであってもよい。また、拡散体２０は、散乱層３０を構成する棒形状の部材の側面の外表面または内表面もしくはその両方に、透過層４０を構成する部材がコーティングされたものであってもよい。なお、３層以上の積層構造の場合、これらコーティング処理を繰り返し行ってもよい。
【００９５】
また、拡散体２０は、例えば、透過層４０を構成する部材と散乱層３０を構成する部材とを、接着剤などで貼り合わせて作成されたものであってもよい。ここで、接着剤は、例えば、光学接着剤である。
【００９６】
一例として、拡散体２０は、透過層４０を構成する板形状の部材の主表面の一方または両方に、散乱層３０を構成する部材であってフィルム状の部材（例えば、厚さが０．５ｍｍ以下の光学フィルム）が貼られたものであってもよい。また、拡散体２０は、散乱層３０を構成する板形状の部材の主表面の一方または両方に、透過層４０を構成する部材であってフィルム状の部材が貼られたものであってもよい。また、拡散体２０は、透過層４０を構成する棒形状の部材の側面（中空の場合は側面の外表面）に、散乱層３０を構成する部材であってフィルム状の部材が貼られたものであってもよい。また、拡散体２０は、散乱層３０を構成する棒形状の部材の側面（中空の場合は側面の外表面）に、透過層４０を構成する部材であってフィルム状の部材が貼られたものであってもよい。なお、３層以上の積層構造の場合、このようなフィルムの貼り付け処理を繰り返し行ってもよい。
【００９７】
なお、散乱層３０および透過層４０が流動性を示す場合には、拡散体２０は、散乱層３０および透過層４０を収納する容器を含むことができる。容器は、例えば、散乱層３０と透過層４０とを接液させた状態（ただし混合はさせずに）で積層させて収納するものであってもよいし、散乱層３０と透過層４０との間に仕切り部材を設け、仕切り部材により仕切られた空間に各層の部材を収納するものであってもよい。なお、透過層４０が、散乱層３０を収納する容器の一部として構成されてもよい。例えば、拡散体２０は、透過層４０を構成する部材で形成された容器に散乱層３０を構成する部材が充填された構成であってもよい。
【００９８】
また、例えば、拡散体２０は、散乱層３０を構成する基材３０１の表面にナノオーダーの凹凸加工を施すことによって作成されたものであってもよい。この場合において、基材３０１の厚さ方向において該表面から凹凸加工が施された領域を散乱層３０とみなし、それ以外を透過層４０と見なしてもよい。その場合、透過層４０は基材３０１により構成される。
【００９９】
また、拡散体２０は、透過層４０および散乱層３０以外の構成要素として、少なくとも１つの表面に反射防止コート、防汚コート、遮熱コート、撥水加工など、透光性の機能性コーティングが施されていてもよい。また、拡散体２０は、薄型および消灯時の透明性や透光性等を活かして窓機能としても利用可能な照明装置や、浴室などで利用される照明装置としての機能性（耐衝撃性、耐水性、耐熱性など）を考慮して、例えば、２枚の透明部材（例えば、ガラス板）に挟まれた構成であってもよい。この場合、合わせガラスの中間層を拡散体２０とみなすこともできるし、合わせガラスを含めた積層構造を拡散体２０とみなすこともできる。前者の場合、透過層４０および散乱層３０の積層構造としての拡散体２０の第１表面の上および第２表面の上にさらに透明部材を備えているといえる。一方、後者の場合、合わせガラスを透過層４０と見なして、拡散体２０は、２枚の透明部材からなる透過層４０の間に散乱層３０が挟まれた構成といってもよい。
【０１００】
なお、窓機能と照明機能とを両立させる場合、枠体は、拡散体２０の第１表面上の少なくとも主発光面が形成される領域の一部とそれに対応する第２表面上の領域とが開口されていることが好ましい（図１１参照）。なお、図１１の符号５０１は、拡散体２０の面ｆ２２上の主発光面が形成される領域を表し、符号５００は、枠体を表している。本例において、枠体５００は、領域５０１に対応した開口（以下、開口５０１とも呼ぶ）を前面ｆ２２だけでなく、背面ｆ２３にも有している。
【０１０１】
また、図２に示すように、入射面が形成される端面ｆ２１は、散乱層３０の端面ｆ３１および透過層４０の端面ｆ４１を含むことができる。その場合において、入射面は、散乱層３０の端面ｆ３１の上に形成されてもよいし、透過層４０の端面ｆ４１の上に形成されてもよいし、散乱層３０の端面ｆ３１の上および透過層４０の端面ｆ４１の上に形成されてもよい。換言すると、光Ｌｉは、拡散体２０の散乱層３０の端面ｆ３１から入射されてもよいし、拡散体２０の透過層４０の端面ｆ４１から入射されてもよいし、拡散体２０の散乱層３０の端面ｆ３１および透過層４０の端面ｆ４１を含む領域から入射されてもよい。いずれの場合においても、入射面を構成する部材を介して、光Ｌｉが、少なくとも散乱層３０または透過層４０の端部に入射されるよう構成されていればよい。
【０１０２】
また、拡散体２０は、入射面が形成される端面の反対側に、光Ｌｔが到達する導光端面（図７の面ｆ２１ｂ等）を備えることができる。導光端面は、例えば、入射面が形成される端面のｚ軸方向における反対側の端面の上に形成されてもよい。導光端面も、入射面と同様、散乱層３０の表面および透過層４０の表面のいずれかまたは両方を含むことができる。
【０１０３】
≪拡散体２０の形状≫
次に、拡散体２０の形状について、いくつか例を示す。拡散体２０は、例えば、板形状である。なお、板形状は平板状に限らない。すなわち、板形状は、湾曲した主表面や傾斜した主表面を有する形状でもよい。例えば、拡散体２０は、前面ｆ２２および背面ｆ２３（第１表面および第２表面）のいずれか一方、または両方が湾曲した形状であってもよい。前面ｆ２２および背面ｆ２３が湾曲している場合において、両者の曲率の向きは一致していてもよいし、一致していなくてもよい。例えば、両方の表面が凸型（外向きに凸の形状）の曲面であってもよい。また、例えば、両方の表面が凹型（内向きに凸の形状）の曲面であってもよい。また、例えば、一方の表面が凸型の曲面であり、他方の表面が凹型の曲面であってもよい。上記の前面ｆ２２と背面ｆ２３の関係は、例えば、対向する側面間の関係としても適用可能である。また、拡散体２０の表面（主表面を含む）は、傾斜、段差、凹み、凸部などを含んでいてもよい。
【０１０４】
拡散体２０は、既に説明したように、例えば、棒形状である。なお、棒形状は、図６に示すような、柱体の延伸方向において胴回り（側面の断面形状における外縁）の長さまたは直径が一定の形状に限定されない。ここで、柱体の延伸方向は、例えば、柱体の底面の１つを図５の面ｆ２１ａとした場合のｚ軸方向、すなわち柱体のいわゆる高さ方向である。なお、棒形状の中には板形状相当の形状も含まれる。その場合、柱体の底面が板形状の主表面に該当し、かつ底面の少なくとも一方を主発光面とする棒形状については、板形状とみなしてもよい。この場合においても、薄型化の観点から、拡散体２０の厚み方向（ｙ方向）の長さは拡散体の光Ｌｔの導光方向（ｚ方向）の長さよりも小さいものとする。
【０１０５】
拡散体２０が棒形状の場合、柱体の延伸方向をｚ軸方向とする。主出射方向と平行な軸方向であるｙ軸方向は、柱体の側面（拡散体２０の主表面）の法線方向とする。したがって、主発光面は、柱体の側面の少なくとも一部とされる。また、入射面は、柱体の底面の少なくとも１つとされる。
【０１０６】
拡散体２０の上面視による形状（図中のｘｚ平面上の形状。以下、正面形状という）は、特に限定されない。例えば、拡散体２０の正面形状は、矩形状、多角形、円形、洋樽形状、糸巻き形状、その他の２以上の直線が接続されてなる形状、２以上の円弧が接続されてなる形状、１以上の直線と１以上の円弧とが接続されてなる形状などであってもよい。
【０１０７】
また、拡散体２０の側面視による形状（図中のｘｙ平面上の形状およびｙｚ平面上の形状。以下、側面形状という。）も、特に限定されない。例えば、拡散体２０の側面形状は、矩形状、洋樽形状、糸巻き形状、その他の対向する２つの直線を含む４以上の直線が接続されてなる形状または対向する２つの直線を含む２以上の直線と２以上の円弧とが接続されてなる形状などであってもよい。ここで、「拡散体」としての側面は、「柱体」としてみたときの側面（一般的な柱体の側面）とは必ずしも一致しない点に留意されたい。
【０１０８】
以下では、一例として、実施の形態１に係る拡散体２０を板形状として説明している。
【０１０９】
側面ｆ２１（端面）は、光源１０が発した光Ｌｉを入射する。側面ｆ２１は、例えば、光源１０の発光面１１に対向して配置されている。
【０１１０】
前面ｆ２２（第１表面）は、粒子３０２で散乱された光Ｌｓを出射する。また、前面ｆ２２は、拡散体２０内を導光された光Ｌｔを出射してもよい。例えば、拡散体２０内を導光して入射面と対向する端部に到達した光を当該端部などで偏向させて、日差しを再現する光として前面ｆ２２から出射してもよい。
【０１１１】
また、背面ｆ２３（第２表面）は、粒子３０２で散乱された光Ｌｓを出射してもよい。また、背面ｆ２３は、拡散体２０内を導光された光Ｌｔを出射してもよい。例えば、拡散体２０内を導光して入射面と対向する端部に到達した光を当該端部などで偏向させて、迷光を防ぐ目的で背面ｆ２３から外に出射してもよい。
【０１１２】
背面ｆ２３は、前面ｆ２２と対向している。拡散体２０に入射した光Ｌｔは、前面ｆ２２と背面ｆ２３とで反射されて導光される。光Ｌｔは、例えば、全反射によって導光される。例えば、光Ｌｔは、拡散体２０内を導光される。
【０１１３】
また、前面ｆ２２および背面ｆ２３以外の面（例えば、側面）が、粒子３０２で散乱された光Ｌｓを出射してもよい。また、前面ｆ２２および背面ｆ２３以外の面（例えば、側面）が、拡散体２０内を導光された光Ｌｔを出射してもよい。
【０１１４】
また、図１２〜図１４は、拡散体２０の例を示す説明図である。なお、図中の各例では、形状における曲率や傾斜角を実際より大げさに表現している場合がある。図１２（ａ）に示すように、拡散体２０は、例えば、平板状であってもよい。ここで、平板状は、側面でつながれた対向する２つの平坦な表面（図中の面ｆ２３および面ｆ２４）を有する形状である。
【０１１５】
なお、板形状は、平板状に限らない。例えば、拡散体２０は、第１表面と第２表面の一方または双方が湾曲していてもよい。例えば、拡散体２０は、第１表面および第２表面のうち一方の表面が凸型（外側に凸）の曲面であり、他方の表面が凹型（内側に凸）の曲面であってもよい（図１２（ｂ）〜（ｅ）参照）。図１２（ｂ）、（ｃ）に示す例は、主発光面が形成される面ｆ２２が凸形、その反対側の面ｆ２３が凹型に湾曲した板形状の拡散体２０の例である。なお、図１２（ｂ）がｘｙ断面およびｙｚ断面において曲率を有する例であり、図１２（ｃ）がｘｙ断面においてのみ曲率を有する例である。なお、図１２（ｂ）に示す例において、ｘｙ断面の曲率とｙｚ断面の曲率は同じであっても異なっていてもよい。
【０１１６】
また、図示省略しているが、拡散体２０は、ｙｚ断面において曲率を有し、ｘｙ断面において曲率を有さないように構成することも可能である。そのような構成は、図１２（ｃ）に示す例をｘｚ平面上で９０°回転させて入射面の位置を異ならせたものに相当する。なお、面内における曲率の異同が特に限定されない点および入射面の位置を異ならせることができる点は、他の例においても同様である。
【０１１７】
図１２（ｄ）、（ｅ）に示す例は、主発光面が形成される面ｆ２２が凹形、その反対側の面ｆ２３が凸型に湾曲した板形状の拡散体２０の例である。なお、図１２（ｄ）がｘｙ断面およびｙｚ断面において曲率を有する例であり、図１２（ｅ）がｘｙ断面において曲率を有する例である。
【０１１８】
また、例えば、拡散体２０は、第１表面および第２表面の両方が凸型（外側に凸）の曲面であってもよい（図１２（ｆ）、（ｇ）参照）。本例は、拡散体２０のｙ軸方向の厚さが異なる例でもある。なお、図示省略しているが、図１２（ｆ）、（ｇ）に示す例においても、さらにｙｚ断面に曲率を有するように、またｙｚ断面のみに曲率を有するように構成することが可能である。
【０１１９】
また、図１２（ｇ）に示すように、拡散体２０は、３層以上の積層構造であってもよい。その場合において、積層順は特に限定されない。また、図１２（ｇ）に示す例は、厚さが一定でない透過層４０の２つの主表面のそれぞれの上に一定の厚さの散乱層３０を積層した例であるが、例えば、一定の厚さの透過層４０の主表面上にそれぞれ厚さが一定でない散乱層３０を積層させることも可能である。
【０１２０】
また、例えば、図１２（ｈ）に示すように、２層構造の拡散体２０において、一定の厚さの透過層４０の１つの主表面に厚さが一定でない散乱層３０を積層させることも可能である。また、後述する図１３（ｈ）に示すように、厚さが一定でない散乱層３０と厚さが一定でない透過層４０とを積層させて、厚さが一定の拡散体２０を構成することも可能である。このように、拡散体２０全体の厚さや、拡散体２０内における散乱層３０と透過層４０の積層数および各層の厚さは、特に限定されない。
【０１２１】
なお、図１２（ｈ）に示す例は、第２表面が平坦で第１表面が湾曲している例でもある。このように、拡散体２０は、第１表面および第２表面のうち一方の表面が平坦で、他方の表面が湾曲していてもよい（図１３（ａ）〜（ｆ）参照）。
【０１２２】
図１３（ａ）〜（ｄ）に示す例は、ｘｚ平面に平行な背面ｆ２３を少なくとも有している。なお、図１３（ａ）に示す例は、少なくとも−ｙ軸方向にある第１表面がｘｙ断面において曲率を有する例であるが、図１３（ｂ）に示す例のように、少なくとも−ｙ軸方向にある第１表面がｘｙ断面およびｙｚ断面において曲率を有していてもよい。なお、図示省略しているが、拡散体２０は、少なくとも−ｙ軸方向にある第１表面がｙｚ断面においてのみ曲率を有するものであってもよい。
【０１２３】
また、図１３（ｃ）、（ｄ）に示す例は、＋ｙ軸方向にある第２表面が平らになるように、かつｚ軸方向の端部にのみ側面を有するように、柱体の表面（側面）を切り出した形状を有する拡散体２０の例である。なお、図１３（ｃ）、（ｄ）に示す例では、切り出した後の形状も棒形状となる。このような場合において、切り出す前の柱体の側面を構成していた面を、拡散体２０において主発光面が形成される第１表面（より具体的に、前面ｆ２２）とみなし、切断面に相当する面を第２表面（より具体的に、背面ｆ２３）とみなしてもよい。
【０１２４】
なお、図１２（ｈ）および図１３（ａ）〜（ｅ）に示す例は、平坦な背面ｆ２３を基準面として、前面ｆ２２が該基準面に対して湾曲または傾斜する面を含む例でもある。このように、拡散体２０は、少なくとも１つの主表面が、基準面に対して湾曲面または傾斜面を含んでいてもよい。
【０１２５】
ここで、基準面は、例えば、前面または背面の湾曲や傾斜を規定する面である。具体的には、主出射方向（図中の−ｙ軸方向）と垂直な面（図中のｘｚ平面）であってもよい。また、基準面は、例えば、側面の湾曲または傾斜を規定する面である。具体的には、主出射方向に垂直な方向のうち光出射体に入射される光の進行方向により近い方の方向（ｚ軸方向）と垂直な面（図中のｚｙ平面）や、それら２つの面と垂直な面（図中のｙｚ平面）である。
【０１２６】
なお、上記の基準面は、拡散体２０における光の進行方向を基準にした例であるが、基準面は、例えば、照明装置２００の設置先とされる壁や天井を基準に定めることも可能である。例えば、基準面は、照明装置２００の設置先とされる壁や天井の表面（設置先表面）に平行または垂直な面であってもよい。なお、設置先表面が曲面である場合など、基準面は、設置先表面に平行な曲面や、設置先表面に対してその法線方向に一定の厚みを持たせた板形状の構造体の、設置後に主発光面の中心となる位置での水平方向または鉛直方向での切断面（この場合、基準面は平面となる）であってもよい。なお、「拡散体２０の表面が基準面に対して傾斜している」とは、より具体的には、拡散体２０の該表面の面内において該基準面と垂直な方向における長さが一定でないことを表している。
【０１２７】
拡散体２０は、第１表面および第２表面に限らず、側面が、湾曲面または傾斜面を含んでいてもよい。これにより、拡散体２０のｙ軸方向の長さ（厚さ）に限らず、ｘ軸方向の長さおよびｚ軸方向の長さも一定であってもよいし、一定でなくてよい。
【０１２８】
また、図１３（ｆ）に示す例は、平坦な前面ｆ２２を基準面として、背面ｆ２３が湾曲している例である。このように、拡散体２０は、背面側を湾曲または傾斜させてもよい。なお、このことは、基準面が設置面である場合も同様である。
【０１２９】
また、図１３（ｇ）に示す例は、平坦な前面ｆ２２を基準面として、背面ｆ２３が傾斜している例である。なお、図示省略しているが、拡散体２０は、平坦な背面ｆ２３を基準面として、前面ｆ２２が傾斜していてもよい。
【０１３０】
また、図１３（ｈ）に示す例は、互いに厚さが異なる散乱層３０と透過層４０とを積層させて、厚さが一定の拡散体２０を構成する例である。このように、拡散体２０内において散乱層３０および透過層４０の厚さは特に限定されない。
【０１３１】
また、拡散体２０は、例えば、図１４に示すように棒形状であってもよい。なお、棒形状は、図１４（ａ）に示すような円柱形状に限らない。例えば、角柱形状、洋樽形状、糸巻き形状であってもよい。
【０１３２】
なお、図１４に示すように、棒形状の場合、拡散体２０は、柱体の芯（以下、棒芯ともいう）を中心として外周方向に向かって層構造をなしてもよい。拡散体２０が棒形状の場合、底面の少なくとも１つに入射面が形成され、棒形状の側面の少なくとも１つまたは少なくとも一部の領域に主発光面が形成される。
【０１３３】
例えば、図１４（ａ）〜（ｃ）に示す例は、底面のサイズが変化せずに延伸方向に延びる棒形状、すなわちｘｙ断面の大きさがｚ軸方向において一定の棒形状の拡散体２０の例である。なお、図１４（ａ）は断面形状が円形の例、図１４（ｂ）は断面形状が三角形の例、図１４（ｃ）は断面形状が四角形の例である。また、図１４（ｄ），（ｅ）に示す例は、側面が棒芯と平行な直線に対して湾曲している棒形状の拡散体２０の例である。なお、図１４（ｄ）は洋樽形状の例、図１４（ｅ）は糸巻き形状の例である。
【０１３４】
なお、図示省略しているが、棒形状は、中空であってもよい。例えば、棒芯の部分に空間があれば、拡散体２０は、中空の棒形状となる。なお、棒芯の部分に空間がなければ、拡散体２０は、中実（non-hollow）の棒形状となる。
【０１３５】
棒形状の場合も、３層以上とでき、その積層順や各層の厚さは特に限定されない。例えば、図１４（ａ）〜（ｅ）の例示のように、拡散体２０は、中心寄りに透過層４０が配され、その周辺に散乱層３０が配されていてもよい。また、例えば、図１４（ｆ）の例示のように、拡散体２０は、中心寄りに散乱層３０が配され、その周辺に透過層４０が配されていてもよい。
【０１３６】
また、上記の各例において、光Ｌｓの出射方向は−ｙ軸方向のみに限定されない。例えば、板形状の拡散体２０であれば、背面（第２表面）から光Ｌｓを出射することができる。また、例えば、棒形状の拡散体２０であれば、柱体の側面を形成している面すべてから光Ｌｓを出射することができる。このように、拡散体２０は、ｘｙ平面上の２以上の出射方向を有していてもよい。例えば、拡散体２０は、ｘｙ面内において放射状を示す３６０度のあらゆる方向を出射方向とすることも可能であるし、そのうちの一部の方向のみを出射方向とすることも可能である。
【０１３７】
例えば、板形状において一方の主表面からのみ出射した場合や、棒形状において主表面の一部の領域からのみ出射したい場合など、例えば、拡散体２０の表面の一部、より具体的には、出射したい面または領域以外の表面上の領域に、光吸収体または光反射体（図示省略）を設けることで、そのような不要な光が出射されるのを防ぐことができる。
【０１３８】
一例として、拡散体２０の面を、光Ｌｓを出射する領域（以下、出射領域という）と出射しない領域（以下、非出射領域という）とに分けた上で、非出射領域を光反射体または光吸収体で覆ってもよい。なお、棒形状以外の拡散体２０の場合も同様である。このとき、光反射体または光吸収体は、非出射領域に接していてもよいし、接していなくてもよい。例えば、光反射体または光吸収体は、拡散体２０の表面の非出射領域の上に積層されてもよいし、拡散体２０の表面の非出射領域に対向して設けられてもよい。
【０１３９】
また、図示省略しているが、散乱層３０内において散乱された光Ｌｓの一部は、光Ｌｔのように、拡散体２０内において散乱層３０と透過層４０とを交互に進行する光となりうる。そのような場合、光Ｌｓであっても拡散体２０の表面から出射されずに拡散体２０内を進行する光となったものについては、光Ｌｔとして扱うものとする。
【０１４０】
≪拡散体２０内での光Ｌｉの他の導光例≫
図１５〜図１７は、実施の形態１に係る拡散体２０内における光Ｌｉの他の導光例および光Ｌｓの発生例を示す説明図である。なお、図１５は、ｙｚ断面において背面側に散乱層３０がある拡散体２０内における光Ｌｉの他の導光例および光Ｌｓの発生例を示す説明図である。また、図１６は、ｙｚ断面において２つの散乱層３０の間に透過層４０が配置された拡散体２０内における光Ｌｉの他の導光例および光Ｌｓの発生例を示す説明図である。また、図１７は、ｙｚ断面において２つの透過層４０の間に散乱層３０が配置された拡散体２０内における光Ｌｉの他の導光例および光Ｌｓの発生例を示す説明図である。
【０１４１】
このように、積層順序や積層数が異なっていても、光Ｌｉの導光路および光Ｌｓの発生原理は図７に示した例と同様である。
【０１４２】
なお、中空の棒形状の場合、図１８に示すように、ｚ軸に平行な断面において、中空を介して２つの拡散体２０相当とされる、散乱層３０と透過層４０の積層構造が配置されているとみなせばよい。その場合において、柱体の側面の外表面が前面ｆ２２（主発光面が形成される第１表面）、内表面が背面ｆ２３（第１表面）とされる。また、各積層構造では、それぞれ図７、１０〜１４に示すようのと同様の導光が行われればよい。なお、対向する積層構造間で中空を介して光Ｌｓが入射される場合があるが、そのような光Ｌｓが＋ｙ軸方向または−ｙ軸方向に進むことによって前面ｆ２２から出射されてもよい。なお、光源１０の配置は、図１８に示すように、底面の中空部分を避けて外周形状に沿って複数配置する例に限定されず、例えば、中空部分のサイズが光源１０の照射範囲に対して十分小さい場合は、１つの光源１０を棒芯に配置することも可能である。
【０１４３】
＜照明装置２００の効果＞
≪レイリー散乱≫
以下に、光の散乱現象の１つであるレイリー散乱について図１９を参照して説明する。図１９は、実施形態１に係る単一の粒子３０２によるレイリー散乱の散乱光強度角度分布の一例を示す図である。
【０１４４】
粒子３０２に衝突する光は、例えば、光源から出射された光Ｌｉで説明されている。なお、粒子３０２に衝突する光は、拡散体２０内を導光される光Ｌｔであってもよい。縦軸Ｚは、光Ｌｉの進行方向に平行な軸である。光Ｌｉは＋Ｚ軸方向に進行している。横軸Ｘは、縦軸Ｚに直交する軸である。
【０１４５】
粒子の粒径が可視光の波長よりも小さい場合には、光線が粒子に衝突するとレイリー散乱が生じる。可視光の波長は、例えば、３８０ｎｍから７８０ｎｍの範囲である。具体的には、粒子の粒径ｄと光の波長λとによって表されるサイズパラメーターαが以下の式（１）を満たす場合にレイリー散乱が生じる。なお、式において、「・」は乗算を表す。
α＜＜π・ｄ/λ ・・・（１）
【０１４６】
レイリー散乱において、散乱断面積σは、散乱が生じる確率を表すパラメータであり、粒径ｄ、光の波長λと以下の式（２）の関係がある。
σ∝ｄ６/λ４・・・（２）
【０１４７】
式（２）から、レイリー散乱における散乱断面積σは、光の波長λの４乗に反比例する。このため、レイリー散乱においては、短波長の光ほど散乱される確率が高い。このように、式（２）によれば、青色光の方が赤色光に比べて散乱されやすいことがわかる。青色光の波長λは、例えば、４５０ｎｍである。赤色光の波長λは、例えば、６５０ｎｍである。
【０１４８】
図１９では、無偏光の散乱光強度分布を表している。粒子３０２の粒径ｄは１００ｎｍである。粒子３０２の屈折率ｎは１．４３である。基材３０１の屈折率は１．３３である。光の波長は４５０ｎｍである。
【０１４９】
図１９に示すように、レイリー散乱において、散乱光は全方位に放射される。このため、拡散体２０の側面ｆ２１より光を入射しても、側面ｆ２１に対して垂直な前面ｆ２２、背面ｆ２３から光を取り出すことができる。
【０１５０】
≪空を模擬した散乱光の発生≫
以下に、空（特に青空）を模擬した散乱光の発生原理について図７および図１５〜図１９を参照して説明する。図７、１５〜１８に示すように、光源１０から発された光Ｌｉは、拡散体２０の側面ｆ２１から入射する。側面ｆ２１から入射した光Ｌｉは、光Ｌｔとして拡散体２０内を、散乱層３０と透過層４０とを行き来しながら導光される。入射した光Ｌｔは、拡散体２０の前面ｆ２２と背面ｆ２３とで反射される。
【０１５１】
光Ｌｔの一部は、拡散体２０を伝搬する際、散乱層３０に含まれる粒子３０２等に衝突する（または粒子３０２等によって進路を阻害される）。粒子３０２等に衝突した光Ｌｔは、全方位に散乱される（図１９参照）。
【０１５２】
散乱された光のうち、前面ｆ２２に臨界角以下の入射角で入射した光は、前面ｆ２２から光Ｌｓとして出射される。臨界角は、屈折率が大きいところから小さいところに光が向かうとき、全反射が起きる最も小さな入射角のことである。
【０１５３】
散乱された光のうち、背面ｆ２３に臨界角以下の入射角で入射した光は、背面ｆ２３から光Ｌｓとして出射される。臨界角は、屈折率が大きいところから小さいところに光が向かうとき、全反射が起きる最も小さな入射角のことである。
【０１５４】
このとき、式（２）から、レイリー散乱においては短波長の光ほど散乱される確率が高い。このことから、散乱光の相関色温度Ｔｃｓは、入射光の相関色温度Ｔｃｉよりも高くなる。例えば、相関色温度Ｔｃｉは、光源１０が発する光Ｌｉの相関色温度である。例えば、相関色温度Ｔｃｓは、光Ｌｓの相関色温度である。
【０１５５】
光Ｌｉが可視光全域にわたってスペクトル分布を持つ場合には、青色の光が優先的に散乱される。光Ｌｉは、例えば、白色光である。光源１０は、例えば、白色ＬＥＤを備える。このため、適切に光源１０及び拡散体２０を設計することで、光Ｌｓは実際の空の色に近い青を示す相関色温度となる。
【０１５６】
なお、光Ｌｓの光量は入射する光Ｌｉの光量に依存するため、使用する光源１０の光量を適切に選択することにより、照明装置として十分な明るさを有しながら天空色を再現することができる。また、散乱層３０を適切に設計することで、拡散体２０の厚みを小さくすることができる。例えば、本実施形態の構成によれば、拡散体２０の厚さを１００ｍｍ以下とできる。また、例えば、拡散体２０の厚さは、２０ｍｍ以下でもよく、１０ｍｍ以下も可能である。さらに、例えば、拡散体２０の厚さは５ｍｍ以下も可能である。また、例えば、光源１０のサイズ（Ｙ軸方向の長さ）が小さい場合や、光Ｌｉがレーザー光源から発せられる光や集光されたスポット光のように、入射面における照射範囲が小さい光である場合には、拡散体２０の厚さは１ｍｍ以下も可能である。
【０１５７】
なお、上記の例では、前面ｆ２２と背面ｆ２３というように、表面を２つに分けて説明したが、棒形状の拡散体２０であって主表面（棒形状の側面）すべてを主発光面とする場合は、上記の前面ｆ２２を「主表面のうち−ｙ軸方向を向いている領域」と読み替え、上記の背面ｆ２３を、「主表面のうち＋ｙ軸方向を向いている領域」と読み替えればよい。
【０１５８】
≪２層構造による色ムラ抑制効果≫
図２０は、比較例として１層構造の拡散体９０の例を示す構成図である。図２０に示す拡散体９０は、本実施形態の散乱層３０のみを備えた構成である。すなわち、拡散体９０は、透過層４０を備えていない。
【０１５９】
レイリー散乱においては、短波長の光ほど散乱される確率が高い。このため、拡散体９０内を導光される光Ｌｔの導光距離が長くなるほど、長波長成分に比べて短波長成分が減衰していく。そのため、例えば主発光面とされる前面ｆ２２のうち入射面ｆ２１に近い領域から出射される光Ｌｓの相関色温度は、入射面ｆ２１から遠い領域から出射される光Ｌｓの相関色温度よりも高くなる。なぜなら、近い領域よりも遠い領域の方が光Ｌｔの導光距離が長く、光Ｌｔが当該領域まで導光される間に散乱される回数が多いからである。
【０１６０】
このことから、拡散体９０では、導光距離が長くなるほど導光される光Ｌｔに含まれる短波長成分が減衰していくため、光Ｌｔの波長成分が長波長側に変化していくことがわかる。このため、光Ｌｔから生じる光Ｌｓについても導光距離が長くなるほど長波長成分が増えていく。このことから、拡散体９０においては、主発光面内において光Ｌｓに色ムラが生じやすい。
【０１６１】
拡散体の中を伝搬する光が散乱されずに伝搬する距離は、平均自由行程と定義される。平均自由行程が短いことは、拡散体内を導光する光が粒子等によって散乱される回数が多いことを意味している。換言すると、平均自由行程が短いことは、相対的に（長い場合と比べて）、拡散体から出射される拡散光の色ムラが大きいことを意味している。これに対して、平均自由行程が長いことは、拡散体内を導光する光が粒子等によって散乱される回数が少ないことを意味している。換言すると、平均自由行程が長いことは、相対的に（短い場合と比べて）、拡散体から出射される拡散光の色ムラが小さいことを意味している。
【０１６２】
図２０に示す構成と比べて、本実施形態の拡散体２０は、散乱層３０と透過層４０とを光学的に接続した積層構造となっている。このため、拡散体２０の入射面ｆ２１から入射した光Ｌｔは、拡散体２０の主表面（図中の面ｆ２２と面ｆ２３）で、例えば全反射を繰り返しながら導光される。そして、その際に、図７等に示すように、光Ｌｔは、散乱層３０と透過層４０とを行き来する。すなわち、本実施形態の拡散体２０の場合、入射面ｆ２１から入射した光Ｌｔは、散乱層３０と透過層４０とを行き来しながら、かつ拡散体２０の主表面での反射を繰り返しながら導光される。このような拡散体２０内を導光中、透過層４０内を伝搬している間、散乱は生じない。すなわち、光Ｌｔが拡散体２０内を伝搬する行程のうち、透過層４０を伝搬する行程はすべて自由行程となる。これによって、本実施形態の拡散体２０内における光Ｌｉの、入射面からの距離に対する平均自由行程は、拡散体のサイズや粒子濃度等に関して同一条件で透過層４０を有さない構成とした比較例の拡散体９０内における平均自由行程よりも長くできる。このことは、本実施形態の拡散体２０が、透過層４０を有さない構成と比べて、光Ｌｓの主発光面内における色ムラを低減できることを意味している。
【０１６３】
図２０に示す構成で色ムラを低減しようとした場合、色ムラが目立たない程度に拡散体９０の長さを制限したり、粒子３０２の濃度を制限する必要がある。または、光Ｌｔの進行方向において基材３０１に含ませる粒子３０２の濃度に分布を持たせる必要がある。具体的には、入射面に近いほど粒子濃度を薄く、入射面に遠いほど粒子濃度を高くする必要がある。これに対して、本実施形態の拡散体２０の構成によれば、拡散体２０の長さや散乱層３０の散乱能に関わらず、また粒子濃度に分布を持たせなくても、色ムラの低減効果が得られる。
【０１６４】
このように、本実施形態の拡散体２０は、拡散体２０の端部から光を入射して、該光の進行方向に対して垂直な方向に出射させる薄型構成であっても、透過層４０を有さない構成と比べて光Ｌｓの色ムラが低減されるよう構成されている。
【０１６５】
また、本実施形態の構成によれば、例えば、筐体を含む照明装置２００の厚さを１００ｍｍ以下とできる。また、例えば、照明装置２００の厚さは、５０ｍｍ以下でもよく、３０ｍｍ以下も可能である。
【０１６６】
なお、光Ｌｔの導光路中の散乱層３０と透過層４０の比率、それに関連する拡散体２０内における散乱層３０と透過層４０の厚さの比率は、特に限定されない。所望とする色ムラの低減効果と光Ｌｔの光量等とのバランスにより適宜定められる。なお、一例として、色ムラの低減効果をより高めたい場合は散乱層３０よりも透過層４０の厚さを大きくしてもよい。また、光Ｌｔの光量を増やしたい場合は、透過層４０よりも散乱層３０の厚さを大きくしてもよい。なお、導光端面で光Ｌｔの少なくとも一部を折り返して再び拡散体２０内を導光する光Ｌｔとして利用する場合はこの限りではない。
【０１６７】
また、本実施形態の構成によれば、界面ｆ５０を構成する部材間の屈折率差を調整することで、界面ｆ５０での光Ｌｔの反射を抑制して光Ｌｓとなる機会損失を防ぐことができるので、光Ｌｓの光量を確保しつつ、薄型化と色むらの低減効果を両立できる。
【０１６８】
また、本実施形態の構成によれば、光Ｌｓを出射できる拡散体を、例えば、透過層４０を構成する基材４０１等に対する、散乱層３０を構成する部材のコーティング処理、フィルムの貼り付け処理または凹凸加工により製造できる。このため、散乱層３０のみを有する構成と比べて生産性を向上できる。
【０１６９】
≪光源の色変化によるサーカディアン効果≫
【０１７０】
既に説明したように、照明装置２００は、発光色の異なる複数の光源１０を備えることができる。
【０１７１】
例えば、照明装置２００は、各光源１０を制御して光Ｌｉの相関色温度（Ｔｃｉ）を動的に変化させてもよい。これによって、光Ｌｓの相関色温度（Ｔｃｓ）を動的に変化させることができる。また、例えば、照明装置２００は、各光源１０を制御して光Ｌｉの光量を動的に変化させてもよい。これによって、光Ｌｓの光量を動的に変化させることができる。
【０１７２】
このように、拡散体２０への入射光である光Ｌｉの相関色温度および光量を変化させることで、光Ｌｓを見た観察者に空の色が時間とともに変化するように感じさせることができる。そして、サーカディアンリズムを生むことが可能となる。
【０１７３】
「サーカディアンリズム」とは、約２４時間周期で変動する生理現象である。動物および植物などほとんどの生物に存在している。一般的に「体内時計」とも言う。厳密な意味では、サーカディアンリズムは内在的に形成されるものである。しかし、光、温度または食事など外界からの刺激によって修正される。
【０１７４】
≪光学特性の読み替え≫
本実施形態の拡散体２０の特徴および光学特性は、上述した積層構造による平均自由行程の延長効果に寄与する部分以外はそのまま１層構造の散乱能を有する拡散体（例えば、上記の拡散体９０）の特徴および光学特性とみなすことが可能である。
【０１７５】
例えば、拡散体２０の厚さ（散乱層３０と透過層４０の積層構造としての厚さ）は、そのまま拡散体９０の厚さとみなすことができる。他の特徴（形状例や周辺構造）に関しても同様である。また、例えば、拡散体２０内の光Ｌｔの導光路は、そのまま拡散体９０内の光Ｌｔの導光路とみなすことができる。光路長についても同様である。また、例えば、拡散体２０の平均屈折率、平均透過率、平均ヘイズ値（例えば、光Ｌｔの導光路における散乱層３０と透過層４０の比率を基に、各層の値を重みづけ平均した値）は、拡散体９０の屈折率、透過率、ヘイズ値とみなすことができる。
【０１７６】
なお、拡散体２０の粒子濃度および散乱効率については、平均自由行程の延長効果を付与した上で、散乱層３０の粒子濃度および散乱効率を拡散体９０の粒子濃度および散乱効率とみなしてもよい。
【０１７７】
なお、逆の場合も同様である。すなわち、拡散体９０が具備できる特徴および光学特性は、本実施形態の拡散体２０にも具備させることができる。その際、上述した積層構造による平均自由行程の延長効果に影響する部分以外はそのまま読み替え、平均自由行程の延長効果に影響する部分は該効果への影響を考慮しつつ読み替えればよい。
【０１７８】
≪他の効果≫
また、拡散体２０の厚み方向におけるヘイズ値（より具体的には、平均ヘイズ値）は、例えば、０．００５％〜３０％の範囲内である。例えば、照明装置２００を窓としても利用する場合に拡散体２０のヘイズをこの範囲に抑えることで、光源１０が非点灯時には、窓として十分な透明性もしくは透光性を有し、光源１０が点灯時には、照明装置として色むらや明るさムラを低減させつつ十分な天空色の再現性を得ることができる。
【０１７９】
ヘイズ値は、透明性に関する指標であり、拡散透過光の全光線透過光に対する割合から求められる。厚み方向のヘイズ値とは、拡散体２０の背面ｆ２３（もしくは前面ｆ２２）より白色光を入射した際に、前面ｆ２２（もしくは背面ｆ２３）より出射する拡散透過光の全光線透過光に対する割合のことを指す。
【０１８０】
照明装置２１０は、例えば、晴天時には光源１０を非点灯状態とすることで、窓として機能して、例えば外光を室内に取り込み、雨天時や曇天時には光源１０を点灯状態とすることで自然の空を模擬する照明装置として機能するなど、天候に依らず晴天時の開放感を室内に提供することが可能である。
【０１８１】
なお、照明装置２１０は、雨天時や曇天時に限らず、例えば、日差しが強い場合に、背面板５２を閉状態にして光源１０を点灯状態とすることで、日差しのまぶしさによる不快感を抑制しながら、自然の空の開放感を提供することも可能である。
【０１８２】
また、照明装置２００によれば、天候によらない自然の空の開放感の提供だけでなく、ユーザ操作に応じて点灯状態と非点灯状態とを切り替えることで、ユーザが反対側空間を視認したいときに、光源を非点灯状態として拡散体２０を介して反対側空間を視認させることもできる。
【０１８３】
さらに、照明装置２００は、拡散体２０自体をスライド式にすれば、自然の空を模擬する照明装置としての機能と、開口可能な窓機能とを両立することができる。
【０１８４】
＜変形例１＞
以下、実施の形態１に係る照明装置の変形例１を説明する。以下では、照明装置２００と共通する構成要素には同じ符号を付し、その説明を省略する。
【０１８５】
図２１は、変形例１に係る照明装置２１０の構成の一例を示す断面図である。照明装置２１０は、光源１０および拡散体２０に加えて、背面板５２を備える。
【０１８６】
背面板５２は、拡散体２０の背面側に備えられる。背面板５２は、拡散体２０の背面ｆ２３と対向して備えられてもよい。なお、背面板５２と拡散体２０との距離は近い方が好ましい。
【０１８７】
背面板５２は、不透明であり、透過率は望ましくは５０％以下であり、さらに望ましくは１０％以下である。
【０１８８】
背面板５２は拡散反射体であることが望ましく、より望ましくは白色拡散反射体である。背面板５２は光吸収体であってもよい。
【０１８９】
背面板５２は、照明装置２１０が窓としても利用される場合、開閉状態が変更可能であってもよい。背面板５２が開閉可能に備えられることにより、ユーザが背面側空間を視認したいときや外光を取り込みたいときに背面板５２を開状態にして、拡散体２０を介して背面側空間を視認させたり、外光を取り込ませたりできる。背面板５２は、例えばブラインドやシャッターのように、背面板５２を折りたたんだり、戸袋に収納したりすることによって開閉状態が変更可能であってもよい。
【０１９０】
背面板５２は、例えば液晶シャッターのように、背面板５２への印加電圧によって遮蔽状態が変更可能であってもよい。背面板５２は、例えば液晶パネルのように、背面板５２への印加電圧によって遮蔽状態が変更可能であってもよい。
【０１９１】
また、背面板５２は、枠体５００内において、拡散体２０と一体に支持されていてもよい。その場合において、背面板５２は、拡散体２０と一体になって開閉可能に支持されていてもよい。
【０１９２】
≪背面板５２の効果≫
光源１０点灯時に、散乱光Ｌｓは、拡散体２０の前面ｆ２２だけではなく背面ｆ２３からも出射する。例えば、照明装置２１０が設置される壁において、壁により分割された空間のうち、前面ｆ２２が観察者のいる側（以下内側）を向いているとする場合、背面ｆ２３より背面ｆ２３側（以下外側）に出射した散乱光Ｌｓは観察者からは視認されず、損失となる。また、照明装置２１０が窓として利用される場合、外側に散乱光Ｌｓが出射されることは、観察者以外の外側に位置する人にとって光害となる可能性もある。
【０１９３】
背面板５２を拡散体２０の背面ｆ２３側に備えることにより、光源１０点灯時に拡散体２０の背面ｆ２３より出射する散乱光Ｌｓが、外側に出射することを防ぐことができる。さらに、背面板５２として、例えば拡散反射体のように、背面ｆ２３より出射する散乱光Ｌｓを反射する部材を用いることで、背面ｆ２３より出射した散乱光Ｌｓを前面ｆ２２より出射することができ、照明装置２１０の照明装置としての光利用効率を向上させることができる。
【０１９４】
このようにして、背面板５２を、拡散体２０の背面側に備えることにより、光利用効率を向上した照明装置２１０や、背面側への光漏れを低減した照明装置２１０が実現可能である。
【０１９５】
＜変形例２＞
以下、実施の形態１に係る照明装置の変形例２を説明する。以下では、照明装置２００、照明装置２１０と共通する構成要素には同じ符号を付し、その説明を省略する。
【０１９６】
図２２および図２３は、変形例２に係る照明装置２２０の構成の一例を示す説明図である。なお、図２２は照明装置２２０の斜視図であり、図２３は照明装置２２０の断面図である。
【０１９７】
照明装置２２０は、光源１０および拡散体２０に加えて、日差し表現部６０および補助光源７０を備える。
【０１９８】
日差し表現部６０は拡散体２０の前面ｆ２２側に備えられる。日差し表現部６０は入射面ｆ６１および出射面ｆ６２を備える。入射面ｆ６１は、例えば、日差し表現部６０の反視認側の面である。出射面ｆ６２は、例えば、日差し表現部６０の視認側の面である。ここで、視認側は、照明装置２２０が設置された状態において拡散体２０の主発光面側にいるユーザに視認される側であり、反視認側はその反対側をいう。
【０１９９】
日差し表現部６０は、例えば、便宜上複数のエリア（本例であれば、矩形の窓領域としての領域５０１の各辺に対応する、日差し表現部６０ａ、６０ｂ、６０ｃ、６０ｄ等）に分けられてもよい。なお、日差し表現部６０の分割例は上記の例に限定されない。
【０２００】
日差し表現部６０が、例えば、便宜上複数のエリアに分けられる場合、入射面ｆ６１および出射面ｆ６２も分割後の日差し表現部６０に応じて複数のエリアに分けられてもよい。
【０２０１】
なお、図２３に示す例では、日差し表現部６０が４つに分けられており、それぞれ日差し表現部６０ａ、６０ｂ、６０ｃ、６０ｄと称されている。その場合において、入射面ｆ６１および出射面ｆ６２も、４つに分けられていてもよい。以下では、日差し表現部６０ａの入射面をｆ６１ａ、出射面をｆ６２ａと称する。同様に、日差し表現部６０ｂの入射面をｆ６１ｂ、出射面をｆ６２ｂと称し、日差し表現部６０ｃの入射面をｆ６１ｃ、出射面をｆ６２ｃと称し、日差し表現部６０ｄの入射面をｆ６１ｄ、出射面をｆ６２ｄと称する。
【０２０２】
補助光源７０は、日差し表現部６０の裏側（ユーザから見て反視認側）に設けられる。すなわち、日差し表現部６０は、補助光源７０を入射面６１側に備える。例えば、補助光源７０は、日差し表現部６０と拡散体２０の間に設けられていてもよい。
【０２０３】
日差し表現部６０が、便宜上複数のエリアに分けられる場合、日差し表現部６０は少なくとも一つのエリアの入射面ｆ６１側に補助光源７０を備える。
【０２０４】
補助光源７０は、例えば、ＬＥＤ光源である。補助光源７０は、図示省略しているが、光源１０と同様、基板７２およびＬＥＤ素子７３を備えていてもよい。また、補助光源７０は、複数備えられていてもよい。その場合において、補助光源７０は、光源１０と同様、例えば、基板７２上に配列されていてもよい。その場合、複数の補助光源７０が備えらえているとみなしてもよい。
【０２０５】
例えば、日差し表現部６０が複数のエリアに分割されている場合は、各エリアに少なくとも１つの補助光源７０が配置されるようにしてもよい。また、例えば、各エリアに２以上の補助光源７０が配置されてもよい。一例として、日差し表現部６０が多角形の窓領域５０１を画するように設けられている場合は、窓領域５０１の各辺に沿って、補助光源７０が複数備えられていてもよい。
【０２０６】
各光源の発する光の相関色温度は、同一であってもよいし、異なっていてもよい。
【０２０７】
また、補助光源７０から出射される光の色は白色以外の色でもよい。複数の補助光源７０を備える場合において、補助光源７０は、例えば、白色ＬＥＤ光源および橙色系のＬＥＤ光源を含むことができる。また、補助光源７０は、例えば、低色温度の白色ＬＥＤ光源および高色温度の白色ＬＥＤ光源を含むことができる。
【０２０８】
日差し表現部６０は、例えば、光拡散体により構成される。光拡散体は、透明部材内に微粒子を分散させたものであってもよいし、透明部材の表面に例えばシボ加工のような表面加工を施したものであってもよい。
【０２０９】
日差し表現部６０は、例えば、透明部材と光拡散体とにより構成されてもよい。この場合、光拡散体は、透明部材の入射面側に設けられてもよいし、出射面側に設けられてもよいし、両方に設けられてもよい。光拡散体は、例えば、透明基材と微粒子とにより構成される薄膜コーティングであってもよいし、透明基材と微粒子により構成される拡散シートであってもよい。透明部材の表面にそのような光拡散体を塗布または積層することにより、日差し表現部６０が構成されていてもよい。
【０２１０】
補助光源７０より出射した光は、日差し表現部６０の備える入射面ｆ６１より日差し表現部６０に入射し、出射面ｆ６２から拡散光として出射する。これにより、日差し表現部６０の出射面ｆ６２を発光させられる。
【０２１１】
日差し表現部６０は、出射面ｆ６２の全面が発光してもよいし、一部の領域のみを発光させてもよい。日差し表現部６０は、複数のエリアに分割されている場合、エリアごとに発光させてもよい。日差し表現部６０は、例えば、すべてのエリアが発光してもよいし、一部のエリアを非発光状態としてもよい。日差し表現部６０は、例えば、補助光源７０として備えられる複数の光源の点灯を制御することにより、日差し表現部６０の一部を非発光状態としてもよい。また、日差し表現部６０は、１つのエリア内の一部の領域のみを発光させてもよい。
【０２１２】
なお、照明装置２２０においても、照明装置２００や照明装置２１０と同様、背面板５２をさらに備えることができる。
【０２１３】
≪日差し表現部６０の効果≫
発光可能な日差し表現部６０を拡散体２０の主発光面の出射側に設けることにより、観察者はあたかも拡散体２０の背面側に太陽が存在し、太陽の日差しに窓枠が照らされているように錯覚する。これにより、照明装置２２０が照明として機能する際の観察者が感じる自然らしさが向上し、空間の開放感が向上する。また、実際の窓のように、日差しにより照らされないことが適当な個所を非発光状態とすることにより、照明装置２２０が照明として機能する際の観察者が感じる自然らしさがさらに向上する。
【０２１４】
＜変形例３＞
以下、実施の形態１に係る照明装置の変形例３を説明する。以下では、照明装置２００、照明装置２１０、照明装置２２０と共通する構成要素には同じ符号を付し、その説明を省略する。
【０２１５】
図２４〜図２７は、変形例３に係る照明装置２３０の構成の一例を示す説明図である。なお、図２４〜図２６は照明装置２３０の例を示す断面図であり、図２７は、照明装置２３０の例を示す断面図である。
【０２１６】
照明装置２３０は、光源１０、拡散体２０および日差し表現部６０に加えて、光折り返し部８０を備える。
【０２１７】
光折り返し部８０は、拡散体２０の側面ｆ２１に備えられる。光折り返し部８０は、拡散体２０の備える少なくとも一つの側面ｆ２１に備えられる。光折り返し部８０は、拡散体２０内を導光した後、光折り返し部８０に到達した光Ｌｔを、日差し表現部６０に向けて出射する。光折り返し部８０は、光Ｌｔの進行方向を変化させる。なお、光折り返し部８０は、偏向部８０の一例である。なお、図２４〜図２６では、光Ｌｔの進行方向を示すものとしてＺ軸方向に平行な破線矢印を記載しているが、光Ｌｔの導光の様子は上述した実施形態と同様である。すなわち、本例においても、光Ｌｔは、拡散体２０内を導光される際、散乱層３０と透過層４０とを行き来する。
【０２１８】
光折り返し部８０は、反射面ｆ８１を有していてもよい。その場合、光折り返し部８０は、光折り返し部８０に到達した光を、反射面ｆ８１で日差し表現部６０に向けて反射する。なお、光折り返し部８０は、入射面の反対側端面に到達した光を、日差し表現部６０に向けて出射できるような進行方向変化機能を備えていればよく、具体的な態様は図２４に示す例に限定されない。
【０２１９】
光折り返し部８０により進行方向が変化した光は、日差し表現部６０の入射面ｆ６１を照射する。該光は、入射面ｆ６１より日差し表現部６０に入射し、出射面ｆ６２より出射して、日差しを模擬する拡散光となる。
【０２２０】
反射面ｆ８１は、例えば、鏡面である。反射面ｆ８１は、例えば、拡散反射面である。反射面ｆ８１は、例えば、金属蒸着により設けられる。反射面ｆ８１は、例えば、白色塗装により設けられる。
【０２２１】
光折り返し部８０は、例えば、拡散体２０の側面ｆ２１の一部を切断することにより形成されてもよい。このとき、切断面が反射面ｆ８１となる。そして、切断面を含む拡散体２０の端部が光折り返し部８０とされる。このように、拡散体２０は、光折り返し部８０を含んでいてもよい。
【０２２２】
なお、光折り返し部８０は、拡散体２０と一体であってもよいし、別体であってもよい。
【０２２３】
また、照明装置２３０は、さらに補助光源７０を、日差し表現部６０の備える入射面ｆ６１側に備えてもよい。補助光源７０は、日差し表現部６０より出射する光の光量を増加する。
【０２２４】
また、照明装置２３０および上記他の照明装置は、２以上の端面に光源１０を備えていてもよい。このとき、照明装置は、例えば、対向する端面に光源１０を備えていてもよい。そのような場合において、照明装置２３０は、例えば、図２６に示すように、拡散体２０の対向する端部において、拡散体２０の入射面と光折り返し部８０（反射面ｆ８１）が同一端面において交互に、かつ対向する端面間で互い違いになるように配置されていてもよい。
【０２２５】
この他、拡散体２０の入射面と光折り返し部８０（反射面ｆ８１）は、いずれも端面に沿って隙間なく配列されるが、その際、拡散体２０の厚み方向において異なる位置に配置されていてもよい。その場合、一方の端面に配置された光源１０は、当該端面に配置された入射面から対向端面の光折り返し部８０まで光Ｌｔが導光されるように光Ｌｉを入射してもよい。
【０２２６】
また、図示省略しているが、２以上の照明ユニット１００を、光Ｌｉの進行方向が異なるように積層されていてもよい。このようにすれば、拡散体２０の中心に対して任意の２以上の方位に光源１０を配置できる。この場合において、光源１０は、日差し表現部６０が設けられるエリアに対応して複数設けられていてもよい。
【０２２７】
≪光折り返し部８０の効果≫
光折り返し部８０により反射した光を、日差し表現部６０より出射することにより、拡散体２０を導光し、側面ｆ２１より出射し損失となる光を利用することができ、光利用効率の向上につながる。
【０２２８】
さらに、例えば、日差し表現部６０を備えることによる照明装置２３０の厚みの増大が許容されない場合には、折り返し部８０が日差し表現部６０を兼ねていてもよい。例えば、拡散体２０の側面ｆ２１ａ、２１ｃ、２１ｄに折り返し部８０を設けることにより、光折り返し部８０は日差し表現部６０を兼ねることができる。図２７は、そのようにして拡散体２０の側面に日差し表現部６０を兼ねた光折り返し部８０（少なくとも、反射面ｆ８１）を設けた照明装置２３０の例を示す斜視図である。
【０２２９】
なお、光折り返し部８０が日差し表現部６０を兼ねる場合において、光折り返し部８０は、偏向機能に加えて光散乱機能を有していてもよい。なお、光散乱機能は、反射面ｆ８１に例えばシボ加工のような表面加工を施すことにより実現してもよい。また、光散乱機能は、例えば、反射面ｆ８１に例えば反射拡散性を持つフィルムを添付したり、白色塗装を施すことで実現してもよい。また、光散乱機能は、例えば、反射面ｆ８１と出射面の間に粒子を含ませることにより実現することも可能である。なお、粒子は、拡散体２０の粒子３０２でもよい。その場合、拡散体２０が光折り返し部８０と日差し表現部６０とを兼ねているとも表現できる。なお、拡散体２０が、光折り返し部８０と日差し表現部６０とを構成要素として含んでいると表現してもよい。
【０２３０】
また、光折り返し部８０は、折り返した光を出射する出射面（拡散体２０と一体に形成される場合は拡散体２０の前面ｆ２２の端部に相当。以下、折り返された光が出射される領域を指して出射面ｆ８２という）に光散乱機能を持たせてもよい。光散乱機能は、出射面ｆ８２に例えばシボ加工のような表面加工や光拡散性のコーティングを施したり、光拡散性のフィルムを添付することで実現してもよい。
【０２３１】
なお、図２７に示す例は、３つの側面に折り返し部８０を設けた例であるが、反射面ｆ８１をハーフミラー等により実現することですべての端面に光折り返し部８０を設けることも可能である。
【０２３２】
実施の形態２．
図２８は、実施の形態２に係る照明装置２４０の構成の一例を示す説明図である。照明装置２４０は、光源１０と、拡散体２０と、光取出し部８０ａとを備える。以下では、照明装置２００、照明装置２１０、照明装置２２０および照明装置２３０と共通する構成要素には同じ符号を付し、その説明を省略する。
【０２３３】
照明装置２４０において、拡散体２０は、光入射部としての光入射面２４と、導光拡散部２５１と、導光部２５２と、散乱光出射部（第１の光出射面）である前面ｆ２２及び背面ｆ２３と、伝搬光出射部としての第２の光出射面２６とを有している。本例では、拡散体２０内において、媒質と光散乱粒子などのナノオーダーの光学媒体（以下、単に粒子３０２という）とを含み、入射光を導光して粒子３０２で散乱させることによって散乱光を生成する部位を導光拡散部２５１と呼ぶ。また、拡散体２０内において、粒子３０２を含まず、入射光を散乱させずに導光する部位を導光部２５２と呼ぶ。導光拡散部は上記実施形態の散乱層３０に相当し、導光部は上記実施形態の透過層４０に相当する。
【０２３４】
光入射面２４には、光源１０の発光面ｆ１１から発せられた光が入射する。導光拡散部２５は、媒質としての基材３０１と基材３０１中に存在する粒子３０２とを有している。導光拡散部２５１は、入射光を導光して粒子３０２で散乱させることによって光Ｌｓを生成する。拡散体２０は、例えば、端部に光入射面２４を備え、光入射面２４と対向する端部に第２の光出射面２６を備える。光源１０は、拡散体２０の端部に配置され、光源１０の発光面ｆ１１から出射した光Ｌｉは光入射面２４から導光拡散部２５を含む拡散体２０の内部に入射する。
【０２３５】
拡散体２０に入射した光Ｌｉは、光Ｌｔとして拡散体２０の内部を導光した後、第２の光出射面２６から出射される。または、拡散体２０に入射した光Ｌｉは、光Ｌｔとして拡散体２０の内部を導光する中で、拡散体２０が有する導光拡散部２５１に含まれる粒子３０２で散乱されて、光Ｌｓとなって第１の光出射面である前面ｆ２２等から出射される。また、拡散体２０に入射した光Ｌｉは、光Ｌｔとして拡散体２０の内部を導光した後、第２の光出射面２６から出射される。以下、第２の光出射面２６から出射された光Ｌｔを、光Ｌｏという場合がある。第２の光出射面２６から出射される光（光Ｌｏ）の相関色温度は、前面ｆ２２から出射される光（光Ｌｓ）の相関色温度に比べて低い。なお、図２８でも、光Ｌｔの進行方向を示すものとしてＺ軸方向に平行な破線矢印を記載しているが、光Ｌｔの導光の様子は上述した実施形態と同様である。すなわち、本例においても、光Ｌｔは、拡散体２０内を導光される際、導光拡散部２５１と導光部２５２とを行き来する。
【０２３６】
ここで、第２の光出射面２６から出射された光Ｌｏの少なくとも一部は、第２の光出射面２６の近傍に設けられた光取出し部８０ａにて光Ｌｓと同じ方向（図２８の例では、導光方向と垂直な方向であって、主発光面である前面ｆ２２と面する空間側に向かう方向）に出射される。光取出し部８０ａは、第２の光出射面２６から出射された光Ｌｏを特定の方向に向ける機能を持つ。図２８の例では、特定の方向は、導光方向と垂直な方向（−Ｙ方向）であって、前面ｆ２２に面する空間に向かう方向であり、例えば、視認側に向かう方向である。なお、特定の方向は、例えば、導光方向と垂直な方向（＋Ｙ方向）であって、背面ｆ２３に面する空間（反視認側）に向かう方向であってもよい。
【０２３７】
また、光取出し部８０ａは、出射光（すなわち、導光拡散部２５の内部を導光し第２の光出射面２６から出射された光Ｌｏ）の屈折、反射、拡散、透過等を制御するために、例えば、レンズ、ミラー、フィルム、表面塗装などが形成されていてもよい。
【０２３８】
具体例として、第２の光出射面２６から出射された光Ｌｏが角度方向に広がりを持つ散乱光であり、この光を特定の方向に向かうように偏向して該特定の方向にある空間（視認側空間など）を照らす光とするためには、光取出し部８０ａをミラーとし、かつミラーの反射面に曲率を持たせてもよい。このような構成により、光取出し部８０ａで反射した光は、略平行光に制御され、前面ｆ２２側に向かう方向である特定の方向に進ませることができる。
【０２３９】
また、前面ｆ２２側にいる人間から光取出し部８０ａを見た場合に眩しくない構成を実現するためには、例えば、光取出し部８０ａに拡散機能をもたせることが望ましい。この場合、人間が感じる眩しさを抑えつつ、光取出し部８０ａで拡散した光を前面ｆ２２側に取り出すことができる。
【０２４０】
なお、光取出し部８０ａは、上述した光折り返し部８０の一変形例として備えられてもよいし、上述した光折り返し部８０とは別体として備えることもできる。
【０２４１】
実施の形態３．
図２９は、実施の形態３に係る照明装置２５０の構成を概略的に示す断面図である。以下では、拡散体２０ａが、内部に含まれる粒子３０２の面濃度（主発光面の単位面積あたりの粒子３０２の数［個／ｍｍ２］であって、主発光面の位置ごとに拡散体２０ａ内の粒子３０２を厚み方向で足し合わせた数に相当）に分布を持っている例を説明する。
【０２４２】
図２９に示されるように、照明装置２５０は、光源１０と、拡散体２０ａと、領域５０１を画する日差し表現部６０とを有している。以下では、照明装置２００、照明装置２１０、照明装置２２０、照明装置２３０および照明装置２４０と共通する構成要素には同じ符号を付し、その説明を省略する。
【０２４３】
照明装置２５０は、拡散体２０ａの端部に位置する側面である光入射面２４に対向するように光源１０を配置するエッジ入射方式を採用している。また、図３０は、本実施形態に係る拡散体２０ａの構成例を示す断面図である。図３０に示すように、拡散体２０ａは、光入射面２４と、導光拡散部２５１ａと、導光部２５２ｂと、第１の光出射面としての前面ｆ２２および背面ｆ２３とを有している。本例において、導光拡散部２５１ａと導光部２５２ｂとはＹ軸方向に積層されている。
【０２４４】
光入射面２４には、光源１０の発光面ｆ１１から発せられた光が入射する。導光拡散部２５１ａは、媒質としての基材２０１と基材２０１中に存在する複数の粒子３０２とを有している。導光拡散部２５１ａは、入射光を導光して粒子３０２で散乱させることによって光Ｌｓを生成する。光Ｌｓは、開口５０１を通して出射される。また、導光部２５２ｂは、拡散体２０ａ内に、導光拡散部２５１ａとの界面ｆ５０を形成する。拡散体２０ａに入射した光は、拡散体２０内を導光される際、界面ｆ５０を介して導光拡散部２５１ａと導光部２５２ａとを行き来する。
【０２４５】
拡散体２０ａは、少なくとも１つの側面の近傍において粒子３０２の面濃度が低い領域２７を備えていてもよい（図３０（ａ）参照）。図２９に示されるように、拡散体２０ａの前面ｆ２２の面積が、照明装置２５０に備えられた開口５０１の面積よりも広い場合に、開口５０１を通して視認することができない領域２７の粒子３０２の面濃度を、開口５０１を通して視認することができる領域２８の粒子３０２の面濃度よりも低くすることにより、領域２７による発光を抑制し、照明装置２５０全体としての光の利用効率を向上させることができる。つまり、開口５０１を通して視認することができない領域２７上に存在する導光散乱部２５１ａでの散乱確率を抑えることができるので、入射光から照明光としての所望の青色を取り出す目的または入射面の対向端部等において伝搬光を照明光または太陽光を模擬する光として取り出す目的において、光の利用効率が向上する。
【０２４６】
また、領域２７は、導光拡散部２５１ａを備えない領域であってもよい（図３０（ｂ）参照）。例えば、開口５０１を通して視認されない領域２７上には、導光部２５２ａのみを備える構成とすることも可能である。そのようにしても、領域２７における発光を抑制することができ、照明装置２５０全体としての光の利用効率を向上させることが可能である。
【０２４７】
開口５０１を通して視認することができない領域２７は、青空を模擬する散乱光Ｌｓを出射する用途には用いられないため、そのような領域２７を除いた拡散体２０ａの導光方向（Ｚ方向）の長さＺｄを、実質的な導光拡散部２５１ａの長さとしてもよい。また、既に説明したように、領域２７が粒子３０２を備えない領域である場合に、光入射面２４は、必ずしも導光拡散部２５１ａの端部に設けられていなくてもよい。すなわち、拡散体２０ａは、領域２７を介して、導光拡散部２５１ａに光が入射される構成であれば、図２９に示される構成と異なる構成であってもよい。なお、導光する光の強度及び向きを精度よく制御できる点で、粒子３０２を備えない領域２７は、光入射面２４が設けられる端部以外の端部に設けられることがより好ましい。例えば、光入射面２４が設けられる端部を第１の端部とした場合、領域２７は、拡散体２０ａの第１の端部とは異なる第２の端部に設けられることがより好ましい。例えば、拡散体２０ａは、光入射面２４が図５の側面ｆ２１ａに設けられている場合に、側面ｆ２１ｂ側の端部、側面ｆ２１ｃ側の端部および側面ｆ２１ｄ側の端部に領域２７を設けてもよい。また、例えば、拡散体２０ａは、光入射面２４が図５の側面ｆ２１ａおよび側面ｆ２１ｂに設けられている場合に、側面ｆ２１ｃ側の端部および側面ｆ２１ｄ側の端部に領域２７を設けてもよい。
【０２４８】
なお、拡散体２０ａ内において開口５０１を通して視認することができない領域であっても、上述したような、日差し表現部６０または光折り返し部８０に散乱光を供給するなど、青空を模擬する光を出射する以外の他の用途がある場合には、上記の領域２７とはせずに、粒子３０２の面濃度を他の領域と同程度またはより高くすることも可能である。換言すると、本実施形態では、開口５０１を通して視認することができるか否かにかかわらず、散乱光の生成を抑制するまたは生成しないようにしたい領域における粒子３０２の面濃度を他の領域に比べて低くすることができる。なお、主表面のある領域における粒子３０２の面濃度［個／ｍｍ２］は、その領域上に存在する導光拡散部２５１ａにおける粒子３０２の濃度［個／ｍｍ３］と読み替えることも可能である。
【０２４９】
なお、上述の各実施の形態においては、「平行」または「垂直」などの、部品間または部材間の位置関係もしくは形状を示す用語を用いている場合がある。これらは、製造上の公差や組立て上のばらつきなどを考慮した範囲を含むことを表している。このため、請求の範囲にこれら位置関係もしくは形状を示す記載をした場合には、製造上の公差又は組立て上のばらつき等を考慮した範囲を含むことを示している。
【０２５０】
また、以上のように本開示に係る拡散体、照明ユニットおよび照明装置の実施の形態について説明したが、本開示に係る拡散体、照明ユニットおよび照明装置はこれらの実施の形態に限るものではない。
【符号の説明】
【０２５１】
１００  照明ユニット
２００、２１０、２２０、２３０、２４０  照明装置
１０  光源
１２  基板
１３  ＬＥＤ素子（発光素子）
１４  レンズ
２０、２０ａ  拡散体
ｆ２１  側面（端面）
ｆ２２  前面（第１表面）
ｆ２３  背面（第２表面）
ｆ５０  界面
２１１  切欠部
２４  光入射面
２５１、２５１ａ  導光拡散部
２５２、２５２ａ  導光部
２６  第２の光出射面
２７、２８  領域
３０  散乱層
３０１  基材
３０２  粒子
４０  透過層
４０１  基材
５００  枠体
５０１  領域（窓領域）
５０２  領域
５２  背面板
６０  日差し表現部
７０  補助光源
７２  基板
７３  ＬＥＤ素子（発光素子）
８０  光折り返し部（偏向部）
８０ａ  光取出し部
ｆ８１  反射面
【図１】
2020196594.tif 000003
【図２】
2020196594.tif 000004
【図３】
2020196594.tif 000005
【図４】
2020196594.tif 000006
【図５】
2020196594.tif 000007
【図６】
2020196594.tif 000008
【図７】
2020196594.tif 000009
【図８】
2020196594.tif 000010
【図９】
2020196594.tif 000011
【図１０】
2020196594.tif 000012
【図１１】
2020196594.tif 000013
【図１２】
2020196594.tif 000014
【図１３】
2020196594.tif 000015
【図１４】
2020196594.tif 000016
【図１５】
2020196594.tif 000017
【図１６】
2020196594.tif 000018
【図１７】
2020196594.tif 000019
【図１８】
2020196594.tif 000020
【図１９】
2020196594.tif 000021
【図２０】
2020196594.tif 000022
【図２１】
2020196594.tif 000023
【図２２】
2020196594.tif 000024
【図２３】
2020196594.tif 000025
【図２４】
2020196594.tif 000026
【図２５】
2020196594.tif 000027
【図２６】
2020196594.tif 000028
【図２７】
2020196594.tif 000029
【図２８】
2020196594.tif 000030
【図２９】
2020196594.tif 000031
【図３０】
2020196594.tif 000032
【手続補正書】
【提出日】令和3年5月19日(2021.5.19)
【手続補正１】
【補正対象書類名】特許請求の範囲
【補正対象項目名】全文
【補正方法】変更
【補正の内容】
【特許請求の範囲】
【請求項１】
第１の光を入射して散乱光を出射する拡散体であって、
前記第１の光に対して所定の散乱能を発現する散乱層と、前記第１の光を透過する透過層とが積層されており、
前記第１の光を入射する光入射面と、前記散乱光を出射する第１の光出射面が形成される主表面とを有し、
前記光入射面は、前記主表面の第１の端部を構成する端面に形成され、
前記拡散体は、入射された前記第１の光に対して、前記散乱層と前記透過層とを往復させる導光路として機能し、
前記散乱層は、ナノオーダーの光学媒体を含み、入射された前記第１の光を前記ナノオーダーの光学媒体で散乱させて前記散乱光を発生させ、
前記散乱光の相関色温度は、前記第１の光の相関色温度よりも高い
ことを特徴とする拡散体。
【請求項２】
前記透過層と前記散乱層とが前記第１の光出射面の法線方向と平行な軸方向に積層されている
請求項１に記載の拡散体。
【請求項３】
前記散乱層と前記透過層との間に存在する界面を構成する部材間のＤ線における屈折率差が、０．５以下である
請求項１または請求項２に記載の拡散体。
【請求項４】
前記散乱層と前記透過層との間に存在する界面を構成する部材のうち、前記第１の光のうち主要な光が最初に到達する界面において入射側となる部材を第１の部材、出射側の部材を第２の部材とし、前記第１の部材のＤ線における屈折率をｎ１、前記第２の部材のＤ線における屈折率をｎ２、Ｒ＝ｎ２／ｎ１としたとき、０．９８≦Ｒ≦１．３７を満たす
請求項１から請求項３のうちのいずれか１項に記載の拡散体。
【請求項５】
前記ナノオーダーの光学媒体が、ナノ粒子またはナノメートルオーダーの大きさをもつ組成物、孔、表面上の凹部もしくは表面上の凸部である
請求項１から請求項４のうちのいずれか１項に記載の拡散体。
【請求項６】
前記透過層を構成する基材の表面上に、前記散乱層を構成する部材がコーティングされている
請求項１から請求項５のうちのいずれか１項に記載の拡散体。
【請求項７】
前記主表面における前記ナノオーダーの光学媒体の面濃度が異なる２以上の領域を含む
請求項１から請求項６のうちのいずれか１項に記載の拡散体。
【請求項８】
少なくとも１つの側面の近傍において、前記ナノオーダーの光学媒体の面濃度が他の領域よりも小さい領域を含む
請求項７に記載の拡散体。
【請求項９】
２つ以上の前記光入射面を備える
請求項１から請求項８のうちのいずれか１項に記載の拡散体。
【請求項１０】
前記拡散体内を導光した前記第１の光を出射する第２の光出射面を更に備え、
前記第２の光出射面は、前記光入射面と対向し、または前記第１の端部と対向する前記拡散体の端部に設けられ、
前記第２の光出射面から出射された前記第１の光の相関色温度は、前記散乱光の相関色温度よりも低い
請求項１から請求項９のうちのいずれか１項に記載の拡散体。
【請求項１１】
前記光入射面と対向し、または前記第１の端部と対向する前記拡散体の端部に設けられた第２の光出射面を更に備え、
前記拡散体は、板形状であり、
前記第１の光出射面は、前記板形状の第１表面に形成され、
前記光入射面は、前記板形状の側面に形成され、
前記第１の光出射面から出射される光には、少なくとも前記散乱光が含まれ、
前記第２の光出射面から出射される光には、前記散乱光および前記拡散体内を導光した前記第１の光が含まれ、
前記第１の光出射面から出射される光の光強度は、前記第２の光出射面から出射される光の光強度よりも低い
請求項１から請求項９のうちのいずれか１項に記載の拡散体。
【請求項１２】
請求項１から請求項１１のうちのいずれか１項に記載の拡散体と、
前記第１の光を発する光源と、を備える
ことを特徴とする照明装置。
【請求項１３】
前記拡散体の前記第１の光出射面に対して、前記散乱光が出射される方向である出射方向の反対側に、不透明な構造体である背面板を備える
請求項１２に記載の照明装置。
【請求項１４】
前記拡散体の前記第１の光出射面に対して、前記散乱光が出射される方向である出射方向の側に、日差しを再現する発光面を含む日差し表現部を備える
請求項１２または請求項１３に記載の照明装置。
【請求項１５】
前記日差し表現部は、複数のエリアに分割されている
請求項１４に記載の照明装置。
【請求項１６】
補助光源をさらに備え、
前記補助光源が発した光は、前記発光面を通して出射される
請求項１４または請求項１５に記載の照明装置。
【請求項１７】
前記日差し表現部は、光拡散体を有する
請求項１４から請求項１６のうちのいずれか１項に記載の照明装置。
【請求項１８】
前記拡散体は、前記光入射面と対向するように配置され、前記拡散体内を導光した光を出射する第２の光出射面を有し、
前記照明装置は、前記第２の光出射面から出射された前記光を、前記第１の光出射面と面する空間に向かうように偏向する光取出し部をさらに有する
請求項１２から請求項１７のうちのいずれか１項に記載の照明装置。
【請求項１９】
前記光取出し部は、前記第２の光出射面から出射された前記光の屈折、反射、拡散及び透過のうちの少なくとも１つを制御するためのレンズ、ミラー、フィルム及び表面塗装のうちの少なくとも１つを含む
請求項１８に記載の照明装置。
【手続補正３】
【補正対象書類名】明細書
【補正対象項目名】０００１
【補正方法】変更
【補正の内容】
【０００１】
本開示は、拡散体および照明装置に関する。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
また、本開示に係る照明装置は、上述した拡散体と、第１の光を発する光源とを備えることを特徴とする。
【国際調査報告】
2020196594.tif 000033
2020196594.tif 000034
2020196594.tif 000035
2020196594.tif 000036
2020196594.tif 000037
2020196594.tif 000038